(57)【要約】  シングルキャリア方式、及び／又は、マルチキャリア方式を用いた無線通信において、データの受信品質を向上させる送信方法を提供する。この送信方法は、送信データから複数の第１の変調信号（ｓ１（ｉ））と複数の第２の変調信号（ｓ２（ｉ））とを生成し、複数の第１の変調信号（ｓ１（ｉ））は１６ＱＡＭ変調方式を用いて生成された信号であり、複数の第２の変調信号（ｓ２（ｉ））は均一コンステレーションの６４ＱＡＭ変調を用いて生成された信号であり、複数の第１の変調信号（ｓ１（ｉ））及び複数の第２の変調信号（ｓ２（ｉ））から、所定の式を満たす複数の第１の信号処理後の信号（ｚ１（ｉ））及び複数の第２の信号処理後の信号（ｚ２（ｉ））を生成し、複数の第２の変調信号（ｓ２（ｉ））の生成に用いられる６４ＱＡＭ変調が、均一コンステレーションの６４ＱＡＭ変調から、非均一コンステレーションの６４ＱＡＭ変調に切り換えられる場合には、上記所定の式を変更する。
2018012520.tif 000002
【特許請求の範囲】
【請求項１】
送信方法であって、
送信データから複数の第１の変調信号ｓ１（ｉ）と複数の第２の変調信号ｓ２（ｉ）とを生成し、ただし、ｉは０以上の整数であるシンボル番号であり、前記複数の第１の変調信号ｓ１（ｉ）は１６ＱＡＭ変調方式を用いて生成された信号であり、前記複数の第２の変調信号ｓ２（ｉ）は均一コンステレーションの６４ＱＡＭ変調を用いて生成された信号であり、
前記複数の第１の変調信号ｓ１（ｉ）及び前記複数の第２の変調信号ｓ２（ｉ）から、式（１）を満たす複数の第１の信号処理後の信号ｚ１（ｉ）及び複数の第２の信号処理後の信号ｚ２（ｉ）を生成し、
【数１】
2018012520.tif 000121
ここで、
【数２】
2018012520.tif 000122
であり、α及びβは任意の実数または虚数であり、
前記複数の第１の信号処理後の信号ｚ１（ｉ）及び前記複数の第２の信号処理後の信号ｚ２（ｉ）を複数のアンテナを用いて送信し、同じシンボル番号の前記第１の信号処理後の信号と前記第２の信号処理後の信号は、同一周波数で同時に送信され、
前記複数の第２の変調信号ｓ２（ｉ）の生成に用いられる６４ＱＡＭ変調が、前記均一コンステレーションの６４ＱＡＭ変調から、非均一コンステレーションの６４ＱＡＭ変調に切り換えられる場合には、
前記係数ｕおよび係数ｖのそれぞれを、前記式（２）および式（３）によって示される値から変更する、
送信方法。
【請求項２】
送信装置であって、
送信データから複数の第１の変調信号ｓ１（ｉ）と複数の第２の変調信号ｓ２（ｉ）とを生成し、ただし、ｉは０以上の整数であるシンボル番号であり、前記複数の第１の変調信号ｓ１（ｉ）は１６ＱＡＭ変調方式を用いて生成された信号であり、前記複数の第２の変調信号ｓ２（ｉ）は均一コンステレーションの６４ＱＡＭ変調を用いて生成された信号である、マッピング部と、
前記複数の第１の変調信号ｓ１（ｉ）及び前記複数の第２の変調信号ｓ２（ｉ）から、式（１）を満たす複数の第１の信号処理後の信号ｚ１（ｉ）及び複数の第２の信号処理後の信号ｚ２（ｉ）を生成し、
【数３】
2018012520.tif 000123
ここで、
【数４】
2018012520.tif 000124
であり、α及びβは任意の実数または虚数である、信号処理部と、
前記複数の第１の信号処理後の信号ｚ１（ｉ）及び前記複数の第２の信号処理後の信号ｚ２（ｉ）を複数のアンテナを用いて送信し、同じシンボル番号の前記第１の信号処理後の信号と前記第２の信号処理後の信号は、同一周波数で同時に送信される、送信部と、
を備え、
前記信号処理部は、
前記複数の第２の変調信号ｓ２（ｉ）の生成に用いられる６４ＱＡＭ変調が、前記均一コンステレーションの６４ＱＡＭ変調から、非均一コンステレーションの６４ＱＡＭ変調に切り換えられる場合には、
前記係数ｕおよび係数ｖのそれぞれを、前記式（２）および式（３）によって示される値から変更する、
送信装置。
【請求項３】
受信方法であって、
それぞれ異なるアンテナから送信された第１の送信信号と第２の送信信号を受信して得られる受信信号を取得し、
前記第１の送信信号及び前記第２の送信信号は、複数の第１の信号処理後の信号ｚ１（ｉ）及び複数の第２の信号処理後の信号ｚ２（ｉ）を複数のアンテナを用いて送信した信号であり、ただし、ｉは０以上の整数であるシンボル番号であり、同じシンボル番号の前記第１の信号処理後の信号と前記第２の信号処理後の信号は、同一周波数で同時に送信されており、
前記複数の第１の信号処理後の信号ｚ１（ｉ）及び前記複数の第２の信号処理後の信号ｚ２（ｉ）は、１６ＱＡＭ変調方式を用いて生成された複数の第１の変調信号ｓ１（ｉ）と非均一コンステレーションの６４ＱＡＭ変調を用いて生成された複数の第２の変調信号ｓ２（ｉ）から第１の信号処理および第２の信号処理を施して生成された信号であり、前記複数の第１の信号処理後の信号ｚ１（ｉ）及び前記複数の第２の信号処理後の信号ｚ２（ｉ）は、前記複数の第１の変調信号ｓ１（ｉ）及び前記複数の第２の変調信号ｓ２（ｉ）に対して式（１）を満たし、
【数５】
2018012520.tif 000125
ここで、
【数６】
2018012520.tif 000126
であり、α及びβは任意の実数または虚数であり、
前記受信信号に対して、前記第１の信号処理および第２の信号処理に対応する信号処理を施して復調し、
前記複数の第２の変調信号ｓ２（ｉ）の生成に用いられた６４ＱＡＭ変調が、前記均一コンステレーションの６４ＱＡＭ変調から、非均一コンステレーションの６４ＱＡＭ変調に切り換えられる場合には、
前記係数ｕおよび係数ｖのそれぞれは、前記式（２）および式（３）によって示される値から変更される、
受信方法。
【請求項４】
受信装置であって、
それぞれ異なるアンテナから送信された第１の送信信号と第２の送信信号を受信して得られる受信信号を取得し、
前記第１の送信信号及び前記第２の送信信号は、複数の第１の信号処理後の信号ｚ１（ｉ）及び複数の第２の信号処理後の信号ｚ２（ｉ）を複数のアンテナを用いて送信した信号であり、ただし、ｉは０以上の整数であるシンボル番号であり、同じシンボル番号の前記第１の信号処理後の信号と前記第２の信号処理後の信号は、同一周波数で同時に送信されており、
前記複数の第１の信号処理後の信号ｚ１（ｉ）及び前記複数の第２の信号処理後の信号ｚ２（ｉ）は、１６ＱＡＭ変調方式を用いて生成された複数の第１の変調信号ｓ１（ｉ）と非均一コンステレーションの６４ＱＡＭ変調を用いて生成された複数の第２の変調信号ｓ２（ｉ）から第１の信号処理および第２の信号処理を施して生成された信号であり、前記複数の第１の信号処理後の信号ｚ１（ｉ）及び前記複数の第２の信号処理後の信号ｚ２（ｉ）は、前記複数の第１の変調信号ｓ１（ｉ）及び前記複数の第２の変調信号ｓ２（ｉ）に対して式（１）を満たし、
【数７】
2018012520.tif 000127
ここで、
【数８】
2018012520.tif 000128
2018012520.tif 000129
であり、α及びβは任意の実数または虚数である、受信部と、
前記受信信号に対して、前記第１の信号処理および第２の信号処理に対応する信号処理を施して復調する、復調部と、を備え、
前記複数の第２の変調信号ｓ２（ｉ）の生成に用いられた６４ＱＡＭ変調が、前記均一コンステレーションの６４ＱＡＭ変調から、非均一コンステレーションの６４ＱＡＭ変調に切り換えられる場合には、
前記係数ｕおよび係数ｖのそれぞれは、前記式（２）および式（３）によって示される値から変更される、
受信装置。
【発明の詳細な説明】
【技術分野】
【０００１】
送信方法、送信装置、受信方法、および受信装置に関する。
【背景技術】
【０００２】
無線通信方式として、シングルキャリア方式とＯＦＤＭ（Orthogonal Frequency Division Multiplexing）方式などのマルチキャリア方式（例えば、非特許文献１参照）が検討されている。マルチキャリア方式は、周波数利用効率が高く大容量伝送に向くという利点がある。シングルキャリア方式は、ＦＦＴ（Fast Fourier Transform）／ＩＦＦＴ（Inverse FFT）などの信号処理が不要で低消費電力での実現に向くという利点がある。
【先行技術文献】
【非特許文献】
【０００３】
【非特許文献１】J. A. C. Bingham, "Multicarrier Modulation for Data Transmission: An Idea Whose Time Has Come", IEEE Communications Magazine, May 1990.
【発明の概要】
【発明が解決しようとする課題】
【０００４】
シングルキャリア方式、及び／又は、マルチキャリア方式を用いた無線通信において、データの受信品質を向上させるための技術が望まれている。
【課題を解決するための手段】
【０００５】
本開示の一態様に係る送信方法は、マッピングステップと信号処理ステップと送信ステップとを含む。マッピングステップでは、送信データから複数の第１の変調信号ｓ１（ｉ）と複数の第２の変調信号ｓ２（ｉ）とを生成する。ただし、ｉは０以上の整数であるシンボル番号であり、複数の第１の変調信号ｓ１（ｉ）は１６ＱＡＭ変調方式を用いて生成された信号であり、複数の第２の変調信号ｓ２（ｉ）は均一コンステレーションの６４ＱＡＭ変調を用いて生成された信号である。信号処理ステップでは、複数の第１の変調信号ｓ１（ｉ）及び複数の第２の変調信号ｓ２（ｉ）から、所定の式を満たす複数の第１の信号処理後の信号ｚ１（ｉ）及び複数の第２の信号処理後の信号ｚ２（ｉ）を生成する。送信ステップでは、複数の第１の信号処理後の信号ｚ１（ｉ）及び複数の第２の信号処理後の信号ｚ２（ｉ）を複数のアンテナを用いて送信する。同じシンボル番号の第１の信号処理後の信号と第２の信号処理後の信号は、同一周波数で同時に送信される。ここで、複数の第２の変調信号ｓ２（ｉ）の生成に用いられる６４ＱＡＭ変調が、均一コンステレーションの６４ＱＡＭ変調から、非均一コンステレーションの６４ＱＡＭ変調に切り換えられる場合には、上記所定の式を変更する。【０００６】
本開示の一態様に係る送信装置は、マッピング部と信号処理部と送信部とを備える。マッピング部は、送信データから複数の第１の変調信号ｓ１（ｉ）と複数の第２の変調信号ｓ２（ｉ）とを生成する。ただし、ｉは０以上の整数であるシンボル番号であり、複数の第１の変調信号ｓ１（ｉ）は１６ＱＡＭ変調方式を用いて生成された信号であり、複数の第２の変調信号ｓ２（ｉ）は均一コンステレーションの６４ＱＡＭ変調を用いて生成された信号である。信号処理部は、複数の第１の変調信号ｓ１（ｉ）及び複数の第２の変調信号ｓ２（ｉ）から、所定の式を満たす複数の第１の信号処理後の信号ｚ１（ｉ）及び複数の第２の信号処理後の信号ｚ２（ｉ）を生成する。送信部は、複数の第１の信号処理後の信号ｚ１（ｉ）及び複数の第２の信号処理後の信号ｚ２（ｉ）を複数のアンテナを用いて送信する。同じシンボル番号の第１の信号処理後の信号と第２の信号処理後の信号は、同一周波数で同時に送信される。ここで、信号処理部は、複数の第２の変調信号ｓ２（ｉ）の生成に用いられる６４ＱＡＭ変調が、均一コンステレーションの６４ＱＡＭ変調から、非均一コンステレーションの６４ＱＡＭ変調に切り換えられる場合には、上記所定の式を変更する。【０００７】
本開示の一態様に係る受信方法は、受信ステップと、復調ステップとを含む。受信ステップでは、それぞれ異なるアンテナから送信された第１の送信信号と第２の送信信号を受信して得られる受信信号を取得する。第１の送信信号及び第２の送信信号は、複数の第１の信号処理後の信号ｚ１（ｉ）及び複数の第２の信号処理後の信号ｚ２（ｉ）を複数のアンテナを用いて送信した信号である。ただし、ｉは０以上の整数であるシンボル番号であり、同じシンボル番号の第１の信号処理後の信号と第２の信号処理後の信号は、同一周波数で同時に送信されている。複数の第１の信号処理後の信号ｚ１（ｉ）及び複数の第２の信号処理後の信号ｚ２（ｉ）は、１６ＱＡＭ変調方式を用いて生成された複数の第１の変調信号ｓ１（ｉ）と非均一コンステレーションの６４ＱＡＭ変調を用いて生成された複数の第２の変調信号ｓ２（ｉ）から第１の信号処理および第２の信号処理を施して生成された信号である。複数の第１の信号処理後の信号ｚ１（ｉ）及び複数の第２の信号処理後の信号ｚ２（ｉ）は、複数の第１の変調信号ｓ１（ｉ）及び複数の第２の変調信号ｓ２（ｉ）に対して所定の式を満たす。復調ステップでは、受信信号に対して、第１の信号処理および第２の信号処理に対応する信号処理を施して復調する。ここで、複数の第２の変調信号ｓ２（ｉ）の生成に用いられた６４ＱＡＭ変調が、均一コンステレーションの６４ＱＡＭ変調から、非均一コンステレーションの６４ＱＡＭ変調に切り換えられる場合には、上記所定の式は変更される。【０００８】
本開示の一態様に係る受信装置は、受信部と復調部とを備える。受信部は、それぞれ異なるアンテナから送信された第１の送信信号と第２の送信信号を受信して得られる受信信号を取得する。第１の送信信号及び前記第２の送信信号は、複数の第１の信号処理後の信号ｚ１（ｉ）及び複数の第２の信号処理後の信号ｚ２（ｉ）を複数のアンテナを用いて送信した信号である。ただし、ｉは０以上の整数であるシンボル番号であり、同じシンボル番号の第１の信号処理後の信号と第２の信号処理後の信号は、同一周波数で同時に送信されている。複数の第１の信号処理後の信号ｚ１（ｉ）及び複数の第２の信号処理後の信号ｚ２（ｉ）は、１６ＱＡＭ変調方式を用いて生成された複数の第１の変調信号ｓ１（ｉ）と非均一コンステレーションの６４ＱＡＭ変調を用いて生成された複数の第２の変調信号ｓ２（ｉ）から第１の信号処理および第２の信号処理を施して生成された信号である。複数の第１の信号処理後の信号ｚ１（ｉ）及び複数の第２の信号処理後の信号ｚ２（ｉ）は、複数の第１の変調信号ｓ１（ｉ）及び複数の第２の変調信号ｓ２（ｉ）に対して所定の式を満たす。復調部は、受信信号に対して、第１の信号処理および第２の信号処理に対応する信号処理を施して復調する。ここで、複数の第２の変調信号ｓ２（ｉ）の生成に用いられた６４ＱＡＭ変調が、均一コンステレーションの６４ＱＡＭ変調から、非均一コンステレーションの６４ＱＡＭ変調に切り換えられる場合には、上記所定の式は変更される。
【発明の効果】
【０００９】
本開示によると、シングルキャリア方式、及び／又は、マルチキャリア方式を用いた無線通信において、データの受信品質を向上させることができる可能性がある。
【図面の簡単な説明】
【００１０】
【図１】図１は、送信装置の構成の一例を示す図である。
【図２】図２は、送信装置の信号処理部の構成の一例を示す図である。
【図３】図３は、送信装置の信号処理部の構成の一例を示す図である。
【図４】図４は、ＡＷＧＮ環境での各ＳＮＲにおけるキャパシティを示す図である。
【図５】図５は、送信装置の無線部の構成の一例を示す図である。
【図６】図６は、送信信号のフレーム構成の一例を示す図である。
【図７】図７は、送信信号のフレーム構成の一例を示す図である。
【図８】図８は、制御情報の生成に関する部分の構成の一例を示す図である。
【図９】図９は、送信装置のアンテナ部の構成の一例を示す図である。
【図１０】図１０は、送信信号のフレーム構成の一例を示す図である。
【図１１】図１１は、送信信号のフレーム構成の一例を示す図である。
【図１２】図１２は、時間軸に対するシンボルの配置方法の一例を示す図である。
【図１３】図１３は、周波数軸に対するシンボルの配置方法の一例を示す図である。
【図１４】図１４は、時間・周波数軸に対するシンボルの配置方法の一例を示す図である。
【図１５】図１５は、時間軸に対するシンボルの配置方法の一例を示す図である。
【図１６】図１６は、周波数軸に対するシンボルの配置方法の一例を示す図である。
【図１７】図１７は、時間・周波数軸に対するシンボルの配置方法の一例を示す図である。
【図１８】図１８は、送信装置の無線部の構成の一例を示す図である。
【図１９】図１９は、受信装置の構成の一例を示す図である。
【図２０】図２０は、送信装置と受信装置の関係の一例を示す図である。
【図２１】図２１は、受信装置のアンテナ部の構成の一例を示す図である。
【図２２】図２２は、送信装置の構成の一例を示す図である。
【図２３】図２３は、送信装置の信号処理部の構成の一例を示す図である。
【図２４】図２４は、送信装置の信号処理部の構成の一例を示す図である。
【図２５】図２５は、送信装置の信号処理部の構成の一例を示す図である。
【図２６】図２６は、送信装置の信号処理部における一部の構成の一例を示す図である。
【図２７】図２７は、送信装置の信号処理部における一部の構成の一例を示す図である。
【図２８】図２８は、送信装置の信号処理部における一部の構成の一例を示す図である。
【図２９】図２９は、送信装置の信号処理部における一部の構成の一例を示す図である。
【図３０】図３０は、送信装置の信号処理部における一部の構成の一例を示す図である。
【図３１】図３１は、ＣＤＤを用いたときの構成を示す図である。
【図３２】図３２は、１６ＱＡＭの平均電力と６４ＱＡＭの平均電力との和に対する１６ＱＡＭの平均電力の比率と、キャパシティとの関係を、ＳＮＲごとに示す図である。
【発明を実施するための形態】
【００１１】
（実施の形態１）
本実施の形態の送信方法、送信装置、受信方法、受信装置について詳しく説明する。
【００１２】
図１に、本実施の形態における例えば、基地局、アクセスポイント、放送局等の送信装置の構成の一例を示す。誤り訂正符号化部１０２は、データ１０１および制御信号１００を入力とし、制御信号１００に含まれる誤り訂正符号に関する情報（例えば、誤り訂正符号の情報、符号長（ブロック長）、符号化率）に基づき、誤り訂正符号化を行い、符号化データ１０３を出力する。なお、誤り訂正符号化部１０２は、インタリーバを具備していてもよく、インタリーバを具備していた場合、符号化後にデータの並び替えを行い、符号化データ１０３を出力してもよい。
【００１３】
マッピング部１０４は、符号化データ１０３、制御信号１００を入力とし、制御信号１００に含まれる変調信号の情報に基づき、変調方式に対応するマッピングを行い、マッピング後の信号（ベースバンド信号）１０５＿１、および、マッピング後の信号（ベースバンド信号）１０５＿２を出力する。なお、マッピング部１０４は、第１の系列を用いて、マッピング後の信号１０５＿１を生成し、第２の系列を用いて、マッピング後の信号１０５＿２を生成する。このとき、第１の系列と第２の系列は異なるものとする。
【００１４】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす（ｉはシンボル番号であり、例えば、ｉは０以上の整数とする。）。なお、信号処理については、図２を用いて、後で説明する。
【００１５】
無線部１０７＿Ａは、信号処理後の信号１０６＿Ａ、制御信号１００を入力とし、制御信号１００に基づき、信号処理後の信号１０６＿Ａに対し、処理を施し、送信信号１０８＿Ａを出力する。そして、送信信号１０８＿Ａは、アンテナ部＃Ａ（１０９＿Ａ）から電波として出力される。
【００１６】
同様に、無線部１０７＿Ｂは、信号処理後の信号１０６＿Ｂ、制御信号１００を入力とし、制御信号１００に基づき、信号処理後の信号１０６＿Ｂに対し、処理を施し、送信信号１０８＿Ｂを出力する。そして、送信信号１０８＿Ｂは、アンテナ部＃Ｂ（１０９＿Ｂ）から電波として出力される。
【００１７】
アンテナ部＃Ａ（１０９＿Ａ）は、制御信号１００を入力としている。このとき、制御信号１００に基づいて、送信信号１０８＿Ａに対し処理を施し、電波として出力する。ただし、アンテナ部＃Ａ（１０９＿Ａ）は、制御信号１００を入力としなくてもよい。
【００１８】
同様に、アンテナ部＃Ｂ（１０９＿Ｂ）は、制御信号１００を入力としている。このとき、制御信号１００に基づいて、送信信号１０８＿Ｂに対し処理を施し、電波を出力する。ただし、アンテナ部＃Ｂ（１０９＿Ｂ）は、制御信号１００を入力としなくてもよい。
【００１９】
なお、制御信号１００は、図１の通信相手である装置が送信した情報に基づいて生成されたものであってもよいし、図１の装置は入力部を具備し、その入力部から入力された情報に基づいて生成されたものであってもよい。
【００２０】
図２は、図１における信号処理部１０６の構成の一例を示している。重み付け合成部（プリコーディング部）２０３はマッピング後の信号２０１Ａ（図１のマッピング後の信号１０５＿１に相当する）、および、マッピング後の信号２０１Ｂ（図１のマッピング後の信号１０５＿２に相当する）、および、制御信号２００（図１の制御信号１００に相当する）を入力とし、制御信号２００に基づいて重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１（ｔ）、重み付け後の信号２０４Ｂをｚ２’（ｔ）とあらわす。なお、ｔは一例として、時間とする。（ｓ１（ｔ）、ｓ２（ｔ）、ｚ１（ｔ）、ｚ２’（ｔ）は複素数で定義されるものとする。（したがって、実数であってもよい））
【００２１】
重み付け合成部（プリコーディング部）２０３は、以下の演算を行うことになる。
【００２２】
【数１】
2018012520.tif 000003
【００２３】
式（１）において、ａ、ｂ、ｃ、ｄは複素数で定義でき、したがって、ａ、ｂ、ｃ、ｄは複素数で定義するものとする。（実数であってもよい）なお、ｉはシンボル番号とする。
【００２４】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義するものとする。（実数であってもよい）
【００２５】
位相変更部２０５Ｂの具体的動作について説明する。位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる。（ｉはシンボル番号（ｉは０以上の整数とする））
【００２６】
例えば、位相変更の値を以下のように設定する。（Ｎは２以上の整数であり、Ｎは位相変更の周期となる。）（Ｎは３以上の奇数に設定するとデータの受信品質が向上する可能性がある。）
【００２７】
【数２】
2018012520.tif 000004
【００２８】
（ｊは虚数単位）ただし、式（２）は、あくまでも例であり、これに限ったものではない。そこで、位相変更値ｙ（ｉ）＝ｅｊ×δ（ｉ）であらわすものとする。
【００２９】
このときｚ１（ｉ）およびｚ２（ｉ）は次式であらわすことができる。
【００３０】
【数３】
2018012520.tif 000005
【００３１】
なお、δ（ｉ）は実数である。そして、ｚ１（ｉ）とｚ２（ｉ）は、同一時間、同一周波数（同一周波数帯）で、送信装置から送信されることになる。
【００３２】
式（３）において、位相変更の値は、式（２）に限ったものではなく、例えば、周期的、規則的に位相を変更するような方法が考えられる。
【００３３】
式（１）および式（３）における（プリコーディング）行列
【数４】
2018012520.tif 000006
とする。例えば、行列Ｆは、以下のような行列を用いることが考えられる。
【００３４】
【数５】
2018012520.tif 000007
または、
【数６】
2018012520.tif 000008
または、
【数７】
2018012520.tif 000009
または、
【数８】
2018012520.tif 000010
または、
【数９】
2018012520.tif 000011
または、
【数１０】
2018012520.tif 000012
または、
【数１１】
2018012520.tif 000013
または、
【数１２】
2018012520.tif 000014
【００３５】
なお、式（５）、式（６）、式（７）、式（８）、式（９）、式（１０）、式（１１）、式（１２）において、αは実数であってもよいし、虚数であってもよく、βは実数であってもよいし、虚数であってもよい。ただし、αは０（ゼロ）ではない。そして、βも０（ゼロ）ではない。
【００３６】
または、
【数１３】
2018012520.tif 000015
または、
【数１４】
2018012520.tif 000016
または、
【数１５】
2018012520.tif 000017
または、
【数１６】
2018012520.tif 000018
または、
【数１７】
2018012520.tif 000019
または、
【数１８】
2018012520.tif 000020
または、
【数１９】
2018012520.tif 000021
または、
【数２０】
2018012520.tif 000022
または、
【数２１】
2018012520.tif 000023
または、
【数２２】
2018012520.tif 000024
または、
【数２３】
2018012520.tif 000025
または、
【数２４】
2018012520.tif 000026
または、
【数２５】
2018012520.tif 000027
または、
【数２６】
2018012520.tif 000028
または、
【数２７】
2018012520.tif 000029
または、
【数２８】
2018012520.tif 000030
または、
【数２９】
2018012520.tif 000031
または、
【数３０】
2018012520.tif 000032
または、
【数３１】
2018012520.tif 000033
または、
【数３２】
2018012520.tif 000034
【００３７】
ただし、θ１１（ｉ）、θ２１（ｉ）、λ（ｉ）はｉの（シンボル番号の）関数であり（実数）、λは例えば固定の値であり（実数）（固定値でなくてもよい）、αは実数であってもよいし、虚数であってもよく、βは実数であってもよいし、虚数であってもよい。ただし、αは０（ゼロ）ではない。そして、βも０（ゼロ）ではない。また、θ１１、θ２１は実数である。
【００３８】
また、これら以外のプリコーディング行列を用いても、本明細書の各実施の形態を実施することが可能である。
【００３９】
または、
【数３３】
2018012520.tif 000035
または、
【数３４】
2018012520.tif 000036
または、
【数３５】
2018012520.tif 000037
または、
【数３６】
2018012520.tif 000038
【００４０】
なお、式（３４）、式（３６）のβは実数であってもよいし、虚数であってもよい。ただし、βも０（ゼロ）ではない。また、プリコーディング行列が、式（３３）、式（３４）のようにあらわされた場合、図２における重み付け合成部２０３は、マッピング後の信号２０１Ａ、２０１Ｂに対し、信号処理を施さずに、マッピング後の信号２０１Ａを重み付け合成後の信号２０４Ａとして出力し、マッピング後の信号２０１Ｂを重み付け合成後の信号２０４Ｂとして出力することになる。つまり、重み付け合成部２０３が存在しなくてもよいし、重み付け合成部２０３が存在する場合、制御信号２００によって、重み付け合成を施すか、重み付け合成を行わないか、の制御を行ってもよい。
【００４１】
挿入部２０７Ａは、重み付け合成後の信号２０４Ａ、パイロットシンボル信号（ｐａ（ｔ））（ｔ：時間）（２５１Ａ）、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
【００４２】
同様に、挿入部２０７Ｂは、位相変更後の信号２０６Ｂ、パイロットシンボル信号（ｐｂ（ｔ））（ｔ：時間）（２５１Ｂ）、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【００４３】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅｊ×ε（ｉ）×ｘ’（ｉ）とあらわすことができる。（ｊは虚数単位）
【００４４】
なお、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である（データシンボル、パイロットシンボル、制御情報シンボルなどに対し位相変更を施す。）。
【００４５】
図２では、位相変更部２０９Ｂを挿入している図を記載しているが、位相変更部２０９Ｂが存在していなくてもよい。このとき、ベースバンド信号２０８Ａ、２０８Ｂが、図２の出力となる。（位相変更部２０９Ｂが動作しなくてもよい。）
【００４６】
図３は、図１における信号処理部１０６の構成の図２とは異なる例を示している。図３において、図２と同様に動作するものについては、同一番号を付している。なお、図２と同様に動作するものについては、ここでの説明を省略する。
【００４７】
係数乗算部３０１Ａは、マッピング後の信号２０１Ａ（ｓ１（ｉ））、および、制御信号２００を入力とし、制御信号２００に基づいて、マッピング後の信号２０１Ａ（ｓ１（ｉ））に係数を乗算し、係数乗算後の信号３０２Ａを出力する。なお、係数をｕとすると、係数乗算後の信号３０２Ａは、ｕ×ｓ１（ｉ）とあらわされる。（ｕは実数であってもよいし、複素数であってもよい。）ただし、ｕ＝１のとき、係数乗算部３０１Ａは、マッピング後の信号２０１Ａ（ｓ１（ｉ））に対して係数の乗算を行わず、マッピング後の信号２０１Ａ（ｓ１（ｉ））を係数乗算後の信号３０２Ａとして出力する。
【００４８】
同様に、係数乗算部３０１Ｂは、マッピング後の信号２０１Ｂ（ｓ２（ｉ））、および、制御信号２００を入力とし、制御信号２００に基づいて、マッピング後の信号２０１Ｂ（ｓ２（ｉ））に係数を乗算し、係数乗算後の信号３０２Ｂを出力する。なお、係数をｖとすると、係数乗算後の信号３０２Ｂは、ｖ×ｓ２（ｉ）とあらわされる。（ｖは実数であってもよいし、複素数であってもよい。）ただし、ｖ＝１のとき、係数乗算部３０１Ｂは、マッピング後の信号２０１Ｂ（ｓ２（ｉ））に対して係数の乗算を行わず、マッピング後の信号２０１Ｂ（ｓ２（ｉ））を係数乗算後の信号３０２Ｂとして出力する。
【００４９】
したがって、重み付け合成後の信号２０４Ａ（ｚ１（ｉ））、および、位相変更後の信号２０６Ｂ（ｚ２（ｉ））は、次式であらわすことができる。
【００５０】
【数３７】
2018012520.tif 000039
【００５１】
なお、（プリコーディング）行列Ｆの例については、前に説明したとおり（たとえば、式（５）から式（３６））であり、また、位相変更の値ｙ（ｉ）の例については、式（２）で示している、ただし、（プリコーディング）行列Ｆ、位相変更の値ｙ（ｉ）については、これらに限ったものではない。
【００５２】
次に、本発明の説明で使用する、「マッピング後の信号２０１Ａ（ｓ１（ｉ））の変調方式がＱＰＳＫ（Quadrature Phase Shift Keying）、マッピング後の信号２０１Ｂ（ｓ２（ｉ））の変調方式が１６ＱＡＭ（ＱＡＭ：Quadrature Amplitude Modulation）のときの、（プリコーディング）行列Ｆ、および、位相変更の値ｙ（ｉ）」について説明する。
【００５３】
なお、マッピング後の信号２０１Ａの平均（送信）電力とマッピング後の信号２０１Ｂの平均（送信）電力は等しいものとする。
【００５４】
このとき、式（３８）から式（４５）のようにして、重み付け合成後の信号２０４Ａ（ｚ１（ｉ））、および、位相変更後の信号２０６Ｂ（ｚ２（ｉ））を得ることで、図１の送信装置が送信する変調信号を受信する受信装置において、データの受信品質が向上するという効果を得ることができる。
【００５５】
【数３８】
2018012520.tif 000040
【００５６】
【数３９】
2018012520.tif 000041
【００５７】
【数４０】
2018012520.tif 000042
【００５８】
【数４１】
2018012520.tif 000043
【００５９】
【数４２】
2018012520.tif 000044
【００６０】
【数４３】
2018012520.tif 000045
【００６１】
【数４４】
2018012520.tif 000046
【００６２】
【数４５】
2018012520.tif 000047
【００６３】
なお、式（３８）から式（４５）において、αおよびβは、実数であってもよいし、虚数であってもよい。
【００６４】
式（３８）から式（４５）の特徴的な点について説明する。
【００６５】
式（３８）から式（４５）において、θをπ／４ラジアン（４５度）と定めている。係数乗算後の信号３０２Ａの平均（送信）電力と係数乗算後の信号３０２Ｂの平均（送信）電力は異なるが、「θをπ／４ラジアン（４５度）」とすることで、重み付け合成語の信号２０４Ａ（ｚ１（ｉ））の平均（送信）電力と位相変更後の信号２０６Ｂ（ｚ２（ｉ））の平均（送信）電力は等しくすることができ、送信規定上、「各アンテナから送信する変調信号の平均送信電力を一定」と定められている場合、「θをπ／４ラジアン（４５度）」と設定する必要がある。なお、ここでは、「θをπ／４ラジアン（４５度）」としているが、「θは、π／４ラジアン（４５度）、（３×π）／４ラジアン（１３５度）、（５×π）／４ラジアン（２２５度）、（７×π）／４ラジアン（３１５度）のいずれかの値であればよい。」
【００６６】
また、係数ｕ、ｖを、式（３８）から式（４５）のように定めている。
【００６７】
なお、図１、図２、図３と式（１）から式（４５）を例とする方法で、シンボルを生成（例えば、ｚ１（ｉ）、ｚ２（ｉ））を説明した。このとき、生成したシンボルは、時間軸方向に配置してもよい。また、ＯＦＤＭ（Orthogonal Frequency Division Multiplexing）などのマルチキャリア方式を用いた場合、生成したシンボルを周波数軸方向に配置してもよいし、時間・周波数方向に配置してもよい。また、生成したシンボルに対し、インタリーブを施し（シンボルの並び替えを行い）、時間軸方向に配置してもよいし、周波数軸方向に配置してもよいし、時間・周波数軸方向に配置してもよい。ただし、同一のシンボル番号ｉのｚ１（ｉ）とｚ２（ｉ）は、同一時間、同一周波数（同一周波数帯）を用いて送信装置は送信することになる。
【００６８】
図４において、ＰＱＰＳＫはＱＰＳＫの平均（送信）電力、Ｐ１６ＱＡＭは１６ＱＡＭの平均（送信）電力とし、横軸ＰＱＰＳＫ／（ＰＱＰＳＫ＋Ｐ１６ＱＡＭ）,縦軸キャパシティとしたときの各ＳＮＲ（Signal-to-Noise power Ratio）におけるキャパシティを示している。（なお、グラフにおけるチャネルモデルはＡＷＧＮ（Additive White Gaussian Noise）環境）この結果からわかるように、式（３８）から式（４５）のように設定することで、受信装置は、良好なデータの受信品質を得ることができるという効果を得ることができることになる。なお、図４において、電力比とキャパシティとの関係を示す２１個の曲線のグラフのそれぞれは、キャパシティの低いものから順に、ＳＮＲ＝０ｄＢ、１ｄＢ、２ｄＢ、・・・、２０ｄＢに対応している。
【００６９】
図１の送信装置は、制御信号１００に含まれる送信方法の情報に基づき変調信号の送信方法を切り替えるものとする。図１の送信装置は、以下の送信方法を選択できるものとする。
【００７０】
送信方法＃１：
シングルストリームを送信する（ｓ１（ｉ）を送信する。）（ｓ１（ｉ）の）変調方式はＢＰＳＫ（Binary Phase Shift Keying）（または、π／２シフトＢＰＳＫ）とする。（ただし、シングルストリームの変調信号は、一つのアンテナを用いて送信してもよいし、複数のアンテナを用いて送信してもよい。）
【００７１】
送信方法＃２：
シングルストリームを送信する（ｓ１（ｉ）を送信する。）（ｓ１（ｉ）の）変調方式はＱＰＳＫ（Quadrature Phase Shift Keying）（または、π／２シフトＱＰＳＫ）とする。（ただし、シングルストリームの変調信号は、一つのアンテナを用いて送信してもよいし、複数のアンテナを用いて送信してもよい。）
【００７２】
送信方法＃３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫ（ＡＰＳＫ：Amplitude Phase Shift Keying）などの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【００７３】
送信方法＃４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫ（ＡＰＳＫ：Amplitude Phase Shift Keying）などの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【００７４】
送信方法＃５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。
【００７５】
送信方法＃６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。
【００７６】
送信方法＃７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。
【００７７】
送信方法＃８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。
【００７８】
送信方法＃９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。
【００７９】
このとき、図２、図３に基づく、プリコーディング（重み付け合成）、および、位相変更を行うが（位相変更部２０５Ｂは、位相変更を行わなくてもよい。）、プリコーディング行列として、式（１３）から式（２０）のいずれかの（プリコーディング）行列を用いるものとする。ただし、式（１３）から式（２０）においてθは０ラジアン以上２πラジアン未満（０ラジアン≦θ＜２πラジアン）とする。
【００８０】
すると、以下を満たすことになる。
【００８１】
送信方法＃１：
送信信号の同相Ｉ−直交Ｑ平面における信号点の数は２。
【００８２】
送信方法＃２：
送信信号の同相Ｉ−直交Ｑ平面における信号点の数は４。
【００８３】
送信方法＃３：
送信信号の同相Ｉ−直交Ｑ平面における信号点の数は１６。
【００８４】
送信方法＃４：
送信信号の同相Ｉ−直交Ｑ平面における信号点の数は６４。
【００８５】
送信方法＃５：
送信信号の同相Ｉ−直交Ｑ平面における信号点の数は２以上４以下。ただし、式（１３）から式（２０）において、θ＝０ラジアンが成立するとき、送信信号の同相Ｉ−直交Ｑ平面における信号点の数は２となる。
【００８６】
送信方法＃６：
送信信号の同相Ｉ−直交Ｑ平面における信号点の数は４以上１６以下。ただし、式（１３）から式（２０）において、θ＝０ラジアンが成立するとき、送信信号の同相Ｉ−直交Ｑ平面における信号点の数は４となる。
【００８７】
送信方法＃７：
送信信号の同相Ｉ−直交Ｑ平面における信号点の数は４以上６４以下。ただし、式（１３）から式（２０）において、θ＝０ラジアンが成立するとき、第１の送信信号の同相Ｉ−直交Ｑ平面における信号点の数は４となり、第２の送信信号の同相Ｉ−直交Ｑ平面における信号点の数は１６となる。
【００８８】
送信方法＃８：
送信信号の同相Ｉ−直交Ｑ平面における信号点の数は１６以上２５６以下。ただし、式（１３）から式（２０）において、θ＝０ラジアンが成立するとき、送信信号の同相Ｉ−直交Ｑ平面における信号点の数は１６となる。
【００８９】
送信方法＃９：
送信信号の同相Ｉ−直交Ｑ平面における信号点の数は６４以上４０９６以下。ただし、式（１３）から式（２０）において、θ＝０ラジアンが成立するとき、送信信号の同相Ｉ−直交Ｑ平面における信号点の数は６４となる。
【００９０】
以上で述べたように、図１の送信装置がシングルストリームの変調信号を送信する際の最大の信号点数は６４となる。
【００９１】
ところで、図１の送信装置の無線部１０７＿Ａ、１０７＿Ｂが具備するＲＦ（Radio Frequency）部における位相雑音の影響、および、無線部１０７＿Ａ、１０７＿Ｂが具備する送信電力増幅器における非線形歪みの影響を考慮した場合、ＰＡＰＲ（Peak-to-Average Power Ratio）が小さい変調方式、および、位相雑音の影響が小さい信号点配置をもつ変調方式を採用することが望まれる。この点を考慮すると、送信信号（変調信号）に含まれる同相Ｉ−直交Ｑ平面における信号点の数を小さくすることが望まれる。上述のように、複数の送信方法を選択できるような送信装置の場合、同相Ｉ−直交Ｑ平面における信号点の数が最も多い送信方法における同相Ｉ−直交Ｑ平面における信号点の数を少なく抑えることで、送信装置において、ＲＦ部の位相雑音の影響を抑えることができ、また、送信電力増幅器における非線形歪みの影響を抑えることができるため、図１の送信装置が送信した変調信号を受信する受信装置において、データの受信品質が向上するという効果を得ることができる。また、ＲＦ部の位相雑音の影響が小さく、送信電力増幅器の非線形歪みの影響が小さいような変調信号を図１の送信装置が送信する場合、送信装置におけるＲＦ部、送信電力増幅器の回路規模を小さくすることができるという効果を得ることもできる。（変調方式ごとにＰＡＰＲが大きく変化すると、例えば、変調方式ごとにＲＦ部、送信電力増腹部を用意することになり、回路規模が増大する。）
【００９２】
前に述べたように、図１の送信装置がシングルストリームの変調信号を送信する際の最大の信号点数は６４となる。したがって、図１の送信装置が二つのストリームの変調信号を送信する際の最大の信号点数を６４に抑えることができれば、上述で述べた効果を得ることができるということになる。
【００９３】
一方で、図１の送信装置が二つのストリームの変調信号を送信する際、ｓ１（ｉ）の信号を複数のアンテナで送信し、ｓ２（ｉ）の信号を複数のアンテナで送信すると、送信ダイバーシチの効果を得ることができるため、図１の送信装置が送信した変調信号を受信する受信装置は、データの受信品質が向上効果を得ることができる。しかし、この効果を得るためには、図１の送信装置が送信する変調信号がＲＦ部の位相雑音の影響、送信電力増幅器における非線形歪みの影響が小さいことが重要となる。
【００９４】
以上を踏まえ、第１の選択方法、または、第２の選択方法を考える。
【００９５】
第１の選択方法：
図１の送信装置は、制御信号１００に含まれる送信方法の情報に基づき変調信号の送信方法を切り替えるものとする。このとき、図１の送信装置は、以下の送信方法を選択できるものとする。
【００９６】
送信方法＃１−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【００９７】
送信方法＃１−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【００９８】
送信方法＃１−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【００９９】
送信方法＃１−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０１００】
送信方法＃１−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０１０１】
送信方法＃１−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０１０２】
送信方法＃１−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
【０１０３】
送信方法＃１−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０１０４】
送信方法＃１−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０１０５】
なお、第１の選択方法では、送信方法＃１−１から送信方法＃１−９のすべての送信方法に対応していなくてもよい。例えば、第１の選択方法では、送信方法＃１−５、送信方法＃１−６、送信方法＃１−７の３つの送信方法のうち、一つ以上の送信方法に対応していればよい。そして、第１の送信方法では、送信方法＃１−８、送信方法＃１−９の２つの送信方法のうち、一つ以上の送信方法に対応していればよい。
【０１０６】
また、第１の選択方法では、送信方法＃１−１に対応していなくてもよい。（第１の選択方法では、図１の送信装置の送信方法の選択候補に、送信方法＃１−１を含まない。）
【０１０７】
第１の選択方法に、送信方法＃１−１から送信方法＃１−９以外の送信方法が含まれていてもよい。
【０１０８】
このとき、以下を満たすことになる。
【０１０９】
送信方法＃１−１：
送信信号の同相Ｉ−直交Ｑ平面における信号点の数は２。
【０１１０】
送信方法＃１−２：
送信信号の同相Ｉ−直交Ｑ平面における信号点の数は４。
【０１１１】
送信方法＃１−３：
送信信号の同相Ｉ−直交Ｑ平面における信号点の数は１６。
【０１１２】
送信方法＃１−４：
送信信号の同相Ｉ−直交Ｑ平面における信号点の数は６４。
【０１１３】
送信方法＃１−５：
送信信号の同相Ｉ−直交Ｑ平面における信号点の数は２より大きく４以下。送信ダイバーシチの効果を得ることが可能。
【０１１４】
送信方法＃１−６：
送信信号の同相Ｉ−直交Ｑ平面における信号点の数は４より大きく１６以下。送信ダイバーシチの効果を得ることが可能。
【０１１５】
送信方法＃１−７：
送信信号の同相Ｉ−直交Ｑ平面における信号点の数は４より大きく６４以下。送信ダイバーシチの効果を得ることが可能。
【０１１６】
送信方法＃１−８：
送信信号の同相Ｉ−直交Ｑ平面における信号点の数は１６。
【０１１７】
送信方法＃１−９：
送信信号の同相Ｉ−直交Ｑ平面における信号点の数は６４。
【０１１８】
以上のような特徴があり、したがって、第１の選択方法とすることで、図１の送信装置において、ＲＦ部の位相雑音の影響、送信電力増幅器における非線形歪みの影響を小さくすることができ、また、送信方法＃１−５から送信方法＃１−７において、送信ダイバーシチの効果を得ることが可能となる。したがって、図１の送信装置が送信する変調信号を受信する受信装置において、データの受信品質が向上するという効果を得ることができる。
【０１１９】
第２の選択方法：
送信方法＃２−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０１２０】
送信方法＃２−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０１２１】
送信方法＃２−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０１２２】
送信方法＃２−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０１２３】
送信方法＃２−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０１２４】
ここでのプリコーディングの処理について説明する。
【０１２５】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０１２６】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０１２７】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０１２８】
送信方法＃２−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０１２９】
ここでのプリコーディングの処理について説明する。
【０１３０】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０１３１】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０１３２】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０１３３】
送信方法＃２−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
【０１３４】
送信方法＃２−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０１３５】
送信方法＃２−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０１３６】
なお、第２の選択方法では、送信方法＃２−１から送信方法＃２−９のすべての送信方法に対応していなくてもよい。例えば、第２の選択方法では、送信方法＃２−５、送信方法＃２−６、送信方法＃２−７の３つの送信方法のうち、一つ以上の送信方法に対応していればよい。そして、第２の送信方法では、送信方法＃２−８、送信方法＃２−９の２つの送信方法のうち、一つ以上の送信方法に対応していればよい。
【０１３７】
また、第２の選択方法では、送信方法＃２−１に対応していなくてもよい。（第２の選択方法では、図１の送信装置の送信方法の選択候補に、送信方法＃２−１を含まない。）
【０１３８】
第２の選択方法に、送信方法＃２−１から送信方法＃２−９以外の送信方法が含まれていてもよい。
【０１３９】
このとき、以下を満たすことになる。
【０１４０】
送信方法＃２−１：
送信信号の同相Ｉ−直交Ｑ平面における信号点の数は２。
【０１４１】
送信方法＃２−２：
送信信号の同相Ｉ−直交Ｑ平面における信号点の数は４。
【０１４２】
送信方法＃２−３：
送信信号の同相Ｉ−直交Ｑ平面における信号点の数は１６。
【０１４３】
送信方法＃２−４：
送信信号の同相Ｉ−直交Ｑ平面における信号点の数は６４。
【０１４４】
送信方法＃２−５：
送信信号の同相Ｉ−直交Ｑ平面における信号点の数は２以上４以下。送信ダイバーシチの効果を得ることが可能な場合が存在する。
【０１４５】
送信方法＃２−６：
送信信号の同相Ｉ−直交Ｑ平面における信号点の数は４以上１６以下。送信ダイバーシチの効果を得ることが可能な場合が存在する。
【０１４６】
送信方法＃２−７：
送信信号の同相Ｉ−直交Ｑ平面における信号点の数は４より大きく６４以下。送信ダイバーシチの効果を得ることが可能。
【０１４７】
送信方法＃２−８：
送信信号の同相Ｉ−直交Ｑ平面における信号点の数は１６。
【０１４８】
送信方法＃２−９：
送信信号の同相Ｉ−直交Ｑ平面における信号点の数は６４。
【０１４９】
以上のような特徴があり、したがって、第２の選択方法とすることで、図１の送信装置において、ＲＦ部の位相雑音の影響、送信電力増幅器における非線形歪みの影響を小さくすることができ、また、送信方法＃２−５から送信方法＃２−７において、送信ダイバーシチの効果を得ることが可能となる場合がある。したがって、図１の送信装置が送信する変調信号を受信する受信装置において、データの受信品質が向上するという効果を得ることができる。
【０１５０】
また、第１の選択方法と第２の選択方法を組み合わせた、第３の選択方法であってもよい。
【０１５１】
第３の選択方法：
図１の送信装置は、制御信号１００に含まれる送信方法の情報に基づき、変調信号の送信方法を切り替えるものとする。このとき、図１の送信方法は、以下の送信方法を選択できるものとする。
【０１５２】
送信方法＃３−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０１５３】
送信方法＃３−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０１５４】
送信方法＃３−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０１５５】
送信方法＃３−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０１５６】
送信方法＃３−５：
送信方法＃１−５、または、送信方法＃２−５のいずれかの送信方法。
【０１５７】
送信方法＃３−６：
送信方法＃１−６、または、送信方法＃２−６のいずれかの送信方法。
【０１５８】
送信方法＃３−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０１５９】
送信方法＃３−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０１６０】
送信方法＃３−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０１６１】
なお、第３の選択方法では、送信方法＃３−１から送信方法＃３−９のすべての送信方法に対応していなくてもよい。例えば、第３の選択方法では、送信方法＃３−５、送信方法＃３−６、送信方法＃３−７の３つの送信方法のうち、一つ以上の送信方法に対応していればよい。そして、第３の送信方法では、送信方法＃３−８、送信方法＃３−９の２つの送信方法のうち、一つ以上の送信方法に対応していればよい。
【０１６２】
また、第３の選択方法では、送信方法＃３−１に対応していなくてもよい。（第３の選択方法では、図１の送信装置の送信方法の選択候補に、送信方法＃３−１を含まない。）
【０１６３】
第３の選択方法に、送信方法＃３−１から送信方法＃３−９以外の送信方法が含まれていてもよい。
【０１６４】
第３の選択方法とすることで、図１の送信装置において、ＲＦ部の位相雑音の影響、送信電力増幅器における非線形歪みの影響を小さくすることができ、また、送信方法＃３−５から送信方法＃３−７において、送信ダイバーシチの効果を得ることが可能となる場合がある。したがって、図１の送信装置が送信する変調信号を受信する受信装置において、データの受信品質が向上するという効果を得ることができる。
【０１６５】
図５は、図１の送信装置がＯＦＤＭ（Orthogonal Frequency Division Multiplexing）図１の無線部１０７＿Ａおよび１０７＿Ｂの構成の一例である。シリアルパラレル変換部５０２は、信号５０１、および、制御信号５００（図１の制御信号１００に相当する。）を入力とし、制御信号５００に基づき、シリアルパラレル変換を行い、シリアルパラレル変換後の信号５０３を出力する。
【０１６６】
逆フーリエ変換部５０４は、シリアルパラレル変換後の信号５０３、および、制御信号５００を入力とし、制御信号５００に基づいて、逆フーリエ変換（例えば、逆高速フーリエ変換（ＩＦＦＴ：Inverse Fast Fourier Transform））を施し、逆フーリエ変換後の信号５０５を出力する。
【０１６７】
処理部５０６は、逆フーリエ変換後の信号５０５、制御信号５００を入力とし、制御信号５００に基づき、周波数変換、増幅等の処理を施し、変調信号５０７を出力する。
【０１６８】
（例えば、信号５０１を図１の信号処理後の信号１０６＿Ａとした場合、変調信号５０７は図１の送信信号１０８＿Ａに相当する。また、信号５０１を図１の信号処理後の信号１０６＿Ｂとした場合、変調信号５０７は図１の送信信号１０８＿Ｂに相当する。）
【０１６９】
図６は、図１の送信信号１０８＿Ａのフレーム構成である。図６において、横軸周波数（キャリア）、縦軸時間である。ＯＦＤＭなどのマルチキャリア伝送方式を用いているため、キャリア方向にシンボルが存在していることになる。そして、図６では、キャリア１からキャリア３６のシンボルを示している。また、図６では、時刻＄１から時刻＄１１のシンボルを示している。
【０１７０】
図６の６０１はパイロットシンボル（図２、図３のパイロット信号２５１Ａ（ｐａ（ｔ）に相当する。））、６０２はデータシンボル、６０３はその他のシンボルを示している。このとき、パイロットシンボルは、例えば、ＰＳＫ（Phase Shift Keying）のシンボルであり、このフレームを受信する受信装置がチャネル推定（伝搬路変動の推定）、周波数オフセット・位相変動の推定を行うためのシンボルであり、例えば、図１の送信装置と、図６のフレームを受信する受信装置がパイロットシンボルの送信方法を共有しているとよい。
【０１７１】
ところで、マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。なお、この点は、以降の説明でも同様であるものとする。
【０１７２】
データシンボル６０２は、図２、図３による信号処理で生成したベースバンド信号２０８Ａに含まれるデータシンボルに相当するシンボルであり、したがって、データシンボル６０２は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まることになる。（つまり、データシンボル６０２は、重み付け合成後の信号２０４Ａ（ｚ１（ｉ））に相当する。）
【０１７３】
その他のシンボル６０３は、図２、図３におけるプリアンブル信号２５２、および、制御情報シンボル信号２５３に相当するシンボルであるものとする。（ただし、その他のシンボルが、プリアンブル、制御情報シンボル以外のシンボルを含んでいてもよい。）このとき、プリアンブルは、（制御用の）データを伝送してもよいし、信号検出のためシンボル、周波数同期・時間同期を行うためのシンボル、チャネル推定のためのシンボル（伝搬路変動の推定を行うためのシンボル）などで構成されていることになる。そして、制御情報シンボルは、図６のフレームを受信した受信装置が、データシンボルの復調・復号を実現するための制御情報を含んだシンボルとなる。
【０１７４】
例えば、図６における時刻＄１から時刻＄４のキャリア１からキャリア３６は、その他のシンボル６０３となる。そして、時刻＄５のキャリア１からキャリア１１はデータシンボル６０２となる。以降、時刻＄５のキャリア１２はパイロットシンボル６０１となり、時刻＄５のキャリア１３からキャリア２３はデータシンボル６０２となり、時刻＄５のキャリア２４はパイロットシンボル６０１となり、・・・、時刻＄６のキャリア１・キャリア２はデータシンボル６０２となり、時刻＄６のキャリア３はパイロットシンボル６０１となり、・・・、時刻＄１１のキャリア３０はパイロットシンボル６０１となり、時刻＄１１のキャリア３１からキャリア３６はデータシンボル６０２となる。
【０１７５】
図７は、図１の送信信号１０８＿Ｂのフレーム構成である。図７において、横軸周波数（キャリア）、縦軸時間である。ＯＦＤＭなどのマルチキャリア伝送方式を用いているため、キャリア方向にシンボルが存在していることになる。そして、図７では、キャリア１からキャリア３６のシンボルを示している。また、図７では、時刻＄１から時刻＄１１のシンボルを示している。
【０１７６】
図７の７０１はパイロットシンボル（図２、図３のパイロット信号２５１Ｂ（ｐｂ（ｔ）に相当する。））、７０２はデータシンボル、７０３はその他のシンボルを示している。このとき、パイロットシンボルは、例えば、ＰＳＫのシンボルであり、このフレームを受信する受信装置がチャネル推定（伝搬路変動の推定）、周波数オフセット・位相変動の推定を行うためのシンボルであり、例えば、図１の送信装置と、図７のフレームを受信する受信装置がパイロットシンボルの送信方法を共有しているとよい。
【０１７７】
データシンボル７０２は、図２、図３による信号処理で生成したベースバンド信号２０８Ｂに含まれるデータシンボルに相当するシンボルであり、したがって、データシンボル７０２は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まることになる。（つまり、データシンボル７０２は、位相変更後の信号２０６Ｂ（ｚ２（ｉ））に相当する。）
【０１７８】
その他のシンボル７０３は、図２、図３におけるプリアンブル信号２５２、および、制御情報シンボル信号２５３に相当するシンボルであるものとする。（ただし、その他のシンボルが、プリアンブル、制御情報シンボル以外のシンボルを含んでいてもよい。）このとき、プリアンブルは（制御用の）データを伝送してもよいし、信号検出のためのシンボル、周波数同期・時間同期を行うためのシンボル、チャネル推定のためのシンボル（伝搬路変動の推定を行うためのシンボル）などで構成されていることになる。そして、制御情報シンボルは、図７のフレームを受信した受信装置がデータシンボルの復調・復号を実現するための制御情報を含んだシンボルとなる。
【０１７９】
例えば、図７における時刻＄１から時刻＄４のキャリア１からキャリア３６は、その他のシンボル７０３となる。そして、時刻＄５のキャリア１からキャリア１１はデータシンボル７０２となる。以降、時刻＄５のキャリア１２はパイロットシンボル７０１となり、時刻＄５のキャリア１３からキャリア２３はデータシンボル７０２となり、時刻＄５のキャリア２４はパイロットシンボル７０１となり、・・・、時刻＄６のキャリア１・キャリア２はデータシンボル７０２となり、時刻＄６のキャリア３はパイロットシンボル７０１となり、・・・、時刻＄１１のキャリア３０はパイロットシンボル７０１となり、時刻＄１１のキャリア３１からキャリア３６はデータシンボル７０２となる。
【０１８０】
図６のキャリアＡ、時刻＄Ｂにシンボルが存在し、図７のキャリアＡ、時刻＄Ｂにシンボルが存在したとき、図６のキャリアＡ、時刻＄Ｂのシンボルと図５のキャリアＡ、時刻＄Ｂのシンボルは、同一時間、同一周波数に送信されることになる。なお、フレーム構成については、図６、図７に限ったものではなく、あくまでも、図６、図７はフレーム構成の例である。
【０１８１】
そして、図６、図７におけるその他のシンボルは、「図２、図３におけるプリアンブル信号２５２、制御シンボル２５３」に相当するシンボルであり、したがって、図６のその他のシンボル６０３と同一時刻、かつ、同一周波数（同一キャリア）の図７のその他のシンボル７０３は、制御情報を伝送している場合、同一のデータ（同一の制御情報）を伝送していることになる。
【０１８２】
なお、図６のフレームと図７のフレームを受信装置は同時に受信することになることを想定しているが、図６のフレームのみ、または、図７のフレームのみを受信しても受信装置は送信装置が送信したデータを得ることは可能である。
【０１８３】
図８は、図２、図３の制御情報シンボル信号２５３を生成するための制御情報生成に関する部分の構成の一例を示している。
【０１８４】
制御情報用マッピング部８０２は、制御情報に関するデータ８０１、制御信号８００を入力とし、制御信号８００に基づいた変調方式で、制御情報に関するデータ８０１に対し、マッピングを施し、制御情報用マッピング後の信号８０３を出力する。なお、制御情報用マッピングの信号８０３は、図２、図３の制御情報シンボル信号２５３に相当する。
【０１８５】
図９は、図１のアンテナ部＃Ａ（１０９＿Ａ）、アンテナ＃Ｂ（１０９＿Ｂ）の構成の一例を示している。（アンテナ部＃Ａ（１０９＿Ａ）、アンテナ部＃Ｂ（１０９＿Ｂ）が複数のアンテナで構成されている例である。）
【０１８６】
分配部９０２は、送信信号９０１を入力とし、分配を行い、送信信号９０３＿１、９０３＿２、９０３＿３、９０３＿４を出力する。
【０１８７】
乗算部９０４＿１は、送信信号９０３＿１、および、制御信号９００を入力とし、制御信号９００に含まれる乗算係数の情報に基づき、送信信号９０３＿１に乗算係数を乗算し、乗算後の信号９０５＿１を出力し、乗算後の信号９０５＿１は、電波としてアンテナ９０６＿１から出力される。
【０１８８】
送信信号９０３＿１をＴｘ１（ｔ）（ｔ：時間）、乗算係数をＷ１（Ｗ１は複素数で定義することができ、したがって、実数であってもよい。）とすると、乗算後の信号９０５＿１は、Ｔｘ１（ｔ）×Ｗ１とあらわされる。
【０１８９】
乗算部９０４＿２は、送信信号９０３＿２、および、制御信号９００を入力とし、制御信号９００に含まれる乗算係数の情報に基づき、送信信号９０３＿２に乗算係数を乗算し、乗算後の信号９０５＿２を出力し、乗算後の信号９０５＿２は、電波としてアンテナ９０６＿２から出力される。
【０１９０】
送信信号９０３＿２をＴｘ２（ｔ）、乗算係数をＷ２（Ｗ２は複素数で定義することができ、したがって、実数であってもよい。）とすると、乗算後の信号９０５＿２は、Ｔｘ２（ｔ）×Ｗ２とあらわされる。
【０１９１】
乗算部９０４＿３は、送信信号９０３＿３、および、制御信号９００を入力とし、制御信号９００に含まれる乗算係数の情報に基づき、送信信号９０３＿３に乗算係数を乗算し、乗算後の信号９０５＿３を出力し、乗算後の信号９０５＿３は、電波としてアンテナ９０６＿３から出力される。
【０１９２】
送信信号９０３＿３をＴｘ３（ｔ）、乗算係数をＷ３（Ｗ３は複素数で定義することができ、したがって、実数であってもよい。）とすると、乗算後の信号９０５＿３は、Ｔｘ３（ｔ）×Ｗ３とあらわされる。
【０１９３】
乗算部９０４＿４は、送信信号９０３＿４、および、制御信号９００を入力とし、制御信号９００に含まれる乗算係数の情報に基づき、送信信号９０３＿４に乗算係数を乗算し、乗算後の信号９０５＿４を出力し、乗算後の信号９０５＿４は、電波としてアンテナ９０６＿４から出力される。
【０１９４】
送信信号９０３＿４をＴｘ４（ｔ）、乗算係数をＷ４（Ｗ４は複素数で定義することができ、したがって、実数であってもよい。）とすると、乗算後の信号９０５＿４は、Ｔｘ４（ｔ）×Ｗ４とあらわされる。
【０１９５】
なお、「Ｗ１の絶対値、Ｗ２の絶対値、Ｗ３の絶対値、Ｗ４の絶対値が等しく」てもよい。このとき、位相変更が行われたことに相当する。（当然であるが、Ｗ１の絶対値、Ｗ２の絶対値、Ｗ３の絶対値、Ｗ４の絶対値は等しくなくてもよい。）
【０１９６】
また、図９では、アンテナ部は、４本のアンテナ（および、４つの乗算部）で構成されている例で説明しているが、アンテナの本数は４本に限ったものではなく、２本以上のアンテナで構成されていればよい。
【０１９７】
そして、図１のアンテナ部＃Ａ（１０９＿Ａ）の構成が図９のとき、送信信号９０１は、図１の送信信号１０８＿Ａに相当する。また、図１のアンテナ部＃Ｂ（１０９＿Ｂ）の構成が図９のとき、送信信号９０１は図１の送信信号１０８＿Ｂに相当し、図１の送信信号１０８＿Ｂに相当する。ただし、アンテナ部＃Ａ（１０９＿Ａ）およびアンテナ部＃Ｂ（１０９＿Ｂ）は、図９のような構成としなくてもよく、前にも記載したように、アンテナ部は、制御信号１００を入力としなくてもよい。例えば、図１のアンテナ部＃Ａ（１０９＿Ａ）、アンテナ部＃Ｂ（１０９＿Ｂ）は、一つのアンテナで構成されていてもよいし、複数のアンテナで構成されていてもよい。
【０１９８】
図１０は、図１の送信信号１０８＿Ａのフレーム構成の例である。図１０において、横軸は時間である。図１０が図６と異なる点は、図１０のフレーム構成は、シングルキャリア方式のときのフレーム構成の例であり、時間方向にシンボルが存在している点である。そして、図１０では、時間ｔ１からｔ２２のシンボルを示している。
【０１９９】
図１０のプリアンブル１００１は、図２、図３におけるプリアンブル信号２５２に相当する。このとき、プリアンブルは、（制御用の）データを伝送してもよいし、信号検出のためのシンボル、周波数同期・時間同期を行うためのシンボル、チャネル推定を行うためのシンボル（伝搬路変動の推定を行うためのシンボル）などで構成されていることになる。
【０２００】
図１０の制御情報シンボル１００２は、図２、図３における制御情報シンボル信号２５３に相当するシンボルであり、図１０のフレームを受信した受信装置が、データシンボルの復調・復号を実現するための制御情報を含んだシンボルである。
【０２０１】
図１０のパイロットシンボル１００４は、図２、図３のパイロット信号２５１Ａ（ｐａ（ｔ））に相当するシンボルであり、パイロットシンボル１００４は、例えば、ＰＳＫのシンボルであり、このフレームを受信する受信装置がチャネル推定（伝搬路変動の推定）、周波数オフセットの推定・位相変動の推定を行うためのシンボルであり、例えば、図１の送信装置と、図１０のフレームを受信する受信装置がパイロットシンボルの送信方法を共有しているとよい。
【０２０２】
そして、図１０の１００３は、データを伝送するためのデータシンボルである。
【０２０３】
マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。
【０２０４】
データシンボル１００３は、図２、図３による信号処理で生成したベースバンド信号２０８Ａに含まれるデータシンボルに相当するシンボルであり、したがって、データシンボル１００３は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まることになる。（つまり、データシンボル１００３は、重み付け合成後の信号２０４Ａ（ｚ１（ｉ））に相当する。）
【０２０５】
なお、図１０では、記載していないが、フレームに、プリアンブル、制御情報シンボル、データシンボル、パイロットシンボル以外のシンボルが含まれていてもよい。
【０２０６】
例えば、送信装置は、図１０における時刻ｔ１ではプリアンブル１００１を送信し、時刻ｔ２では制御情報シンボル１００２を送信し、時刻ｔ３からｔ１１ではデータシンボル１００３を送信し、時刻ｔ１２ではパイロットシンボル１００４を送信し、時刻ｔ１３からｔ２１ではデータシンボル１００３を送信し、時刻ｔ２２ではパイロットシンボル１００４を送信するものとする。
【０２０７】
図１１は、図１の送信信号１０８＿Ｂのフレーム構成の例である。図１１において、横軸は時間である。図１１が図７と異なる点は、図１１のフレーム構成は、シングルキャリア方式のときのフレーム構成の例であり、時間方向にシンボルが存在している点である。そして、図１１では、時間ｔ１からｔ２２のシンボルを示している。
【０２０８】
図１１のプリアンブル１１０１は、図２、図３におけるプリアンブル信号２５２に相当する。このとき、プリアンブルは、（制御用の）データを伝送してもよいし、信号検出のためのシンボル、周波数同期・時間同期を行うためのシンボル、チャネル推定を行うためのシンボル（伝搬路変動の推定を行うためのシンボル）などで構成されていることになる。
【０２０９】
図１１の制御情報シンボル１１０２は、図２、図３における制御情報シンボル信号２５３に相当するシンボルであり、図１１のフレームを受信した受信装置が、データシンボルの復調・復号を実現するための制御情報を含んだシンボルである。
【０２１０】
図１１のパイロットシンボル１１０４は、図２、図３のパイロット信号２５１Ｂ（ｐｂ（ｔ））に相当するシンボルであり、パイロットシンボル１１０４は、例えば、ＰＳＫのシンボルであり、このフレームを受信する受信装置がチャネル推定（伝搬路変動の推定）、周波数オフセットの推定・位相変動の推定を行うためのシンボルであり、例えば、図１の送信装置と、図１１のフレームを受信する受信装置がパイロットシンボルの送信方法を共有しているとよい。
【０２１１】
そして、図１１の１１０３は、データを伝送するためのデータシンボルである。
【０２１２】
マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。
【０２１３】
データシンボル１１０３は、図２、図３による信号処理で生成したベースバンド信号２０８Ｂに含まれるデータシンボルに相当するシンボルであり、したがって、データシンボル１１０３は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まることになる。（つまり、データシンボル１１０３は、位相変更後の信号２０６Ｂ（ｚ２（ｉ））に相当する。）
【０２１４】
なお、図１１では、記載していないが、フレームに、プリアンブル、制御情報シンボル、データシンボル、パイロットシンボル以外のシンボルが含まれていてもよい。
【０２１５】
例えば、送信装置は、図１１における時刻ｔ１ではプリアンブル１１０１を送信し、時刻ｔ２では制御情報シンボル１１０２を送信し、時刻ｔ３からｔ１１ではデータシンボル１１０３を送信し、時刻ｔ１２ではパイロットシンボル１１０４を送信し、時刻ｔ１３からｔ２１ではデータシンボル１１０３を送信し、時刻ｔ２２ではパイロットシンボル１１０４を送信するものとする。
【０２１６】
図１０の時刻ｔｐにシンボルが存在し、図１０の時刻ｔｐ（ｐは１以上の整数）にシンボルが存在したとき、図１０の時刻ｔｐのシンボルと図１１の時刻ｔｐのシンボルは、同一時間、同一周波数に送信されることになる。（例えば、図１０の時刻ｔ３のデータシンボルと図１１の時刻ｔ３のデータシンボルは、同一時刻、同一周波数に送信されることになる。）なお、フレーム構成については、図１０、図１１に限ったものではなく、あくまでも、図１０、図１１はフレーム構成の例である。
【０２１７】
そして、図１０、図１１におけるプリアンブル、制御情報シンボルは、同一のデータ（同一の制御情報）を伝送しているという方法でもよい。
【０２１８】
なお、図１０のフレームと図１１のフレームを受信装置は同時に受信することになることを想定しているが、図１０のフレームのみ、または、図１１のフレームのみを受信しても受信装置は送信装置が送信したデータを得ることは可能である。
【０２１９】
図１２は、重み付け合成後の信号２０４Ａ（ｚ１（ｉ））、および、位相変更後の信号２０６Ｂ（ｚ２（ｉ））の時間軸に対するシンボルの配置方法の例を示している。
【０２２０】
図１２において、例えば、ｚｐ（０）と示している。このとき、ｐは１または２である。よって、図１２のｚｐ（０）は、「ｚ１（ｉ）、ｚ２（ｉ）において、シンボル番号ｉ＝０のときのｚ１（０）、ｚ２（０）」をあらわしている。同様に、ｚｐ（１）は、「ｚ１（ｉ）、ｚ２（ｉ）において、シンボル番号ｉ＝１のときのｚ１（１）、ｚ２（１）」をあらわしている。（つまり、ｚｐ（Ｘ）は、「ｚ１（ｉ）、ｚ２（ｉ）において、シンボル番号ｉ＝Ｘのときのｚ１（Ｘ）、ｚ２（Ｘ）」をあらわしている。）なお、この点については、図１３、図１４、図１５についても同様である。
【０２２１】
図１２に示すように、シンボル番号ｉ＝０のシンボルｚｐ（０）は時刻０に配置し、シンボル番号ｉ＝１のシンボルｚｐ（１）は時刻１に配置し、シンボル番号ｉ＝２のシンボルｚｐ（２）は時刻２に配置し、シンボル番号ｉ＝３のシンボルｚｐ（３）は時刻３に配置し、・・・、とすることで、重み付け合成後の信号２０４Ａ（ｚ１（ｉ））、および、位相変更後の信号２０６Ｂ（ｚ２（ｉ））の時間軸に対するシンボルの配置を行っている。ただし、図１２は一例であり、シンボル番号と時刻の関係は、これに限ったものではない。
【０２２２】
図１３は、重み付け合成後の信号２０４Ａ（ｚ１（ｉ））、および、位相変更後の信号２０６Ｂ（ｚ２（ｉ））の周波数軸に対するシンボルの配置方法の例を示している。
【０２２３】
図１３に示すように、シンボル番号ｉ＝０のシンボルｚｐ（０）はキャリア０に配置し、シンボル番号ｉ＝１のシンボルｚｐ（１）はキャリア１に配置し、シンボル番号ｉ＝２のシンボルｚｐ（２）はキャリア２に配置し、シンボル番号ｉ＝３のシンボルｚｐ（３）はキャリア３に配置し、・・・、とすることで、重み付け合成後の信号２０４Ａ（ｚ１（ｉ））、および、位相変更後の信号２０６Ｂ（ｚ２（ｉ））の周波数軸に対するシンボルの配置を行っている。ただし、図１３は一例であり、シンボル番号と周波数の関係は、これに限ったものではない。
【０２２４】
図１４は、重み付け合成後の信号２０４Ａ（ｚ１（ｉ））、および、位相変更後の信号２０６Ｂ（ｚ２（ｉ））の時間・周波数軸に対するシンボルの配置の例を示している。
【０２２５】
図１４に示すように、シンボル番号ｉ＝０のシンボルｚｐ（０）は、時刻０・キャリア０に配置し、シンボル番号ｉ＝１のシンボルｚｐ（１）は時刻０キャリア１に配置し、シンボル番号ｉ＝２のシンボルｚｐ（２）は時刻１・キャリア０に配置し、シンボル番号ｉ＝３のシンボルｚｐ（３）は時刻１・キャリア１に配置し、・・・、とすることで、重み付け合成後の信号２０４Ａ（ｚ１（ｉ））、および、位相変更後の信号２０６Ｂ（ｚ２（ｉ））の時間・周波数軸に対するシンボルの配置を行っている。ただし、図１４は一例であり、シンボル番号と時間・周波数の関係は、これに限ったものではない。
【０２２６】
図１５は、重み付け合成後の信号２０４Ａ（ｚ１（ｉ））、および、位相変更後の信号２０６Ｂ（ｚ２（ｉ））の時間に対するシンボルの配置の例を示している。なお、図１５の例は、図１の無線部１０７＿Ａ、１０７＿Ｂにインタリーバ（シンボルの並び替えを行う部分）を含んでいるときのシンボルの配置の例を示している。（なお、インタリーバ（シンボルの並び替えを行う部分）を含んでいるときの図１の無線部１０７＿Ａ、１０７＿Ｂの構成については、図１８を用いて後で説明する。）
【０２２７】
図１５に示すように、シンボル番号ｉ＝０のシンボルｚｐ（０）は、時刻０に配置し、シンボル番号ｉ＝１のシンボルｚｐ（１）は、時刻１６に配置し、シンボル番号ｉ＝２のシンボルｚｐ（２）は、時刻１２に配置し、シンボル番号ｉ＝３のシンボルｚｐ（３）は、時刻５に配置し、・・・、とすることで、重み付け合成後の信号２０４Ａ（ｚ１（ｉ））、および、位相変更後の信号２０６Ｂ（ｚ２（ｉ））の時間軸に対するシンボルの配置を行っている。ただし、図１５は一例であり、シンボル番号と時間の関係は、これに限ったものではない。
【０２２８】
図１６は、重み付け合成後の信号２０４Ａ（ｚ１（ｉ））、および、位相変更後の信号２０６Ｂ（ｚ２（ｉ））の時間に対するシンボルの配置の例を示している。なお、図１６の例は、図１の無線部１０７＿Ａ、１０７＿Ｂにインタリーバ（シンボルの並び替えを行う部分）を含んでいるときのシンボルの配置の例を示している。（なお、インタリーバ（シンボルの並び替えを行う部分）を含んでいるときの図１の無線部１０７＿Ａ、１０７＿Ｂの構成については、図１８を用いて後で説明する。）
【０２２９】
図１６に示すように、シンボル番号ｉ＝０のシンボルｚｐ（０）は、キャリア０に配置し、シンボル番号ｉ＝１のシンボルｚｐ（１）は、キャリア１６に配置し、シンボル番号ｉ＝２のシンボルｚｐ（２）は、キャリア１２に配置し、シンボル番号ｉ＝３のシンボルｚｐ（３）は、キャリア５に配置し、・・・、とすることで、重み付け合成後の信号２０４Ａ（ｚ１（ｉ））、および、位相変更後の信号２０６Ｂ（ｚ２（ｉ））の時間軸に対するシンボルの配置を行っている。ただし、図１６は一例であり、シンボル番号と周波数の関係は、これに限ったものではない。
【０２３０】
図１７は、重み付け合成後の信号２０４Ａ（ｚ１（ｉ））、および、位相変更後の信号２０６Ｂ（ｚ２（ｉ））の時間に対するシンボルの配置の例を示している。なお、図１７の例は、図１の無線部１０７＿Ａ、１０７＿Ｂにインタリーバ（シンボルの並び替えを行う部分）を含んでいるときのシンボルの配置の例を示している。（なお、インタリーバ（シンボルの並び替えを行う部分）を含んでいるときの図１の無線部１０７＿Ａ、１０７＿Ｂの構成については、図１８を用いて後で説明する。）
【０２３１】
図１７に示すように、シンボル番号ｉ＝０のシンボルｚｐ（０）は、時刻１・キャリア１に配置し、シンボル番号ｉ＝１のシンボルｚｐ（１）は、時刻３・キャリア３に配置し、シンボル番号ｉ＝２のシンボルｚｐ（２）は、時刻１・キャリア０に配置し、シンボル番号ｉ＝３のシンボルｚｐ（３）は、時刻１・キャリア３に配置し、・・・、とすることで、重み付け合成後の信号２０４Ａ（ｚ１（ｉ））、および、位相変更後の信号２０６Ｂ（ｚ２（ｉ））の時間軸に対するシンボルの配置を行っている。ただし、図１７は一例であり、シンボル番号と時間・周波数の関係はこれに限ったものではない。
【０２３２】
図１８は、図１の無線部１０７＿Ａ、１０７＿Ｂにインタリーバ（シンボルの並び替えを行う部分）を含んでいるときのシンボルに配置例を示している。
【０２３３】
インタリーバ（並び替え部）１８０２は、信号処理後の信号１８０１（図１の１０５＿１、１０５＿２に相当する）、制御信号１８００（図１の１００に相当する。）を入力とし、例えば、制御信号１８００に従い、シンボルの並び替えを行い、並び替え後の信号１８０３を出力する。なお、シンボルの並び替えの例については、図１４から図１７を用いて説明したとおりである。
【０２３４】
信号処理部１８０４は、並び替え後の信号１８０３、制御信号１８００を入力とし、制御信号１８００に従い、信号処理を行い、信号処理後の信号１８０５を出力する。例えば、図１の送信装置は、シングルキャリア方式とＯＦＤＭ方式の両者に対応している場合、信号処理部１８０４は、制御信号１８００に基づき、シングルキャリア方式の信号処理、または、ＯＦＤＭ方式の信号処理を行うことになる。
【０２３５】
ＲＦ部１８０６は、信号処理後の信号１８０５、制御信号１８００を入力とし、制御信号１８００に基づいて、周波数変換等の処理を行い、変調信号１８０７を出力する。
【０２３６】
送信電力増幅器１８０８は、変調信号１８０７を入力とし、信号の増幅を行い、変調信号１８０９を出力する。
【０２３７】
図１９は、図１の送信装置が例えば、図６、図７のフレーム構成、または、図１０、図１１の送信信号を送信したとき、その変調信号を受信する受信装置の構成の一例を示している。
【０２３８】
無線部１９０３Ｘは、アンテナ部＃Ｘ（１９０１Ｘ）で受信した受信信号１９０２Ｘを入力とし、周波数変換、フーリエ変換等の処理を施し、ベースバンド信号１９０４Ｘを出力する。
【０２３９】
同様に、無線部１９０３Ｙは、アンテナ部＃Ｙ（１９０１Ｙ）で受信した受信信号１９０２Ｙを入力とし、周波数変換、フーリエ変換等の処理を施し、ベースバンド信号１９０４Ｙを出力する。
【０２４０】
なお、アンテナ部＃Ｘ（１９０１Ｘ）、および、アンテナ部＃Ｙ（１９０１Ｙ）は、制御信号１９１０を入力とする構成を図１９では記載しているが、制御信号１９１０を入力としない構成であってもよい。制御信号１９１０が入力として存在するときの動作については、後で詳しく説明する。
【０２４１】
ところで、図２０に送信装置と受信装置の関係を示している。図２０のアンテナ２００１＿１、２００１＿２は送信アンテナであり、図２０のアンテナ２００１＿１は図１のアンテナ部＃Ａ（１０９＿Ａ）に相当する。そして、図２０のアンテナ２００１＿２は図１のアンテナ部＃Ｂ（１０９＿Ｂ）に相当する。
【０２４２】
そして、図２０のアンテナ２００２＿１、２００２＿２は受信アンテナであり、図２０のアンテナ２００２＿１は図１９のアンテナ部＃Ｘ（１９０１Ｘ）に相当する。そして、図２０のアンテナ２００２＿２は図１９のアンテナ部＃Ｙ（１９０１Ｙ）に相当する。
【０２４３】
図２０のように、送信アンテナ２００１＿１から送信する信号をｕ１（ｉ）、送信アンテナ２００１＿２から送信する信号をｕ２（ｉ）、受信アンテナ２００２＿１で受信する信号をｒ１（ｉ）、受信アンテナ２００２＿２で受信する信号をｒ２（ｉ）とする。なお、ｉはシンボル番号を示し、例えば、０以上の整数とする。
【０２４４】
そして、送信アンテナ２００１＿１から受信アンテナ２００２＿１への伝搬係数をｈ１１（ｉ）、送信アンテナ２００１＿１から受信アンテナ２００２＿２への伝搬係数をｈ２１（ｉ）、送信アンテナ２００１＿２から受信アンテナ２００２＿１への伝搬係数をｈ１２（ｉ）、送信アンテナ２００１＿２から受信アンテナ２００２＿２への伝搬係数をｈ２２（ｉ）とする。すると、以下の関係式が成立する。
【０２４５】
【数４６】
2018012520.tif 000048
【０２４６】
なお、ｎ１（ｉ）、ｎ２（ｉ）はノイズである。
【０２４７】
図１９の変調信号ｕ１のチャネル推定部１９０５＿１は、ベースバンド信号１９０４Ｘを入力とし、図６、図７（または、図１０、図１１）におけるプリアンブル、および／または、パイロットシンボルを用いて、変調信号ｕ１のチャネル推定、つまり、式（４６）のｈ１１（ｉ）を推定し、チャネル推定信号１９０６＿１を出力する。
【０２４８】
変調信号ｕ２のチャネル推定部１９０５＿２は、ベースバンド信号１９０４Ｘを入力とし、図６、図７（または、図１０、図１１）におけるプリアンブル、および／または、パイロットシンボルを用いて、変調信号ｕ２のチャネル推定、つまり、式（４６）のｈ１２（ｉ）を推定し、チャネル推定信号１９０６＿２を出力する。
【０２４９】
変調信号ｕ１のチャネル推定部１９０７＿１は、ベースバンド信号１９０４Ｙを入力とし、図６、図７（または、図１０、図１１）におけるプリアンブル、および／または、パイロットシンボルを用いて、変調信号ｕ１のチャネル推定、つまり、式（４６）のｈ２１（ｉ）を推定し、チャネル推定信号１９０８＿１を出力する。
【０２５０】
変調信号ｕ２のチャネル推定部１９０７＿２は、ベースバンド信号１９０４Ｙを入力とし、図６、図７（または、図１０、図１１）におけるプリアンブル、および／または、パイロットシンボルを用いて、変調信号う２のチャネル推定、つまり、式（４６）のｈ２２（ｉ）を推定し、チャネル推定信号１９０８＿２を出力する。
【０２５１】
制御情報復号部１９０９は、ベースバンド信号１９０４Ｘ、１９０４Ｙを入力とし、図６、図７（または、図１０、図１１）における制御情報の復調・復号し、制御情報を含んだ制御信号１９１０を出力する。
【０２５２】
信号処理部１９１１は、チャネル推定信号１９０６＿１、１９０６＿２、１９０８＿１、１９０８＿２、ベースバンド信号１９０４Ｘ、１９０４Ｙ、制御信号１９１０を入力とし、式（４６）の関係を用い、また、制御信号１９１０における制御情報（例えば、変調方式、誤り訂正符号関連の方式の情報）に基づいて、復調・復号を行い、受信データ１９１２を出力する。
【０２５３】
なお、制御信号１９１０は、図１９のような方法で生成したものではなくてもよい。例えば、図１９の制御信号１９１０は、図８の通信相手（図１）である装置が送信した情報に基づいて生成されたものであってもよいし、図１９の装置は入力部を具備し、その入力部から入力された情報に基づいて生成されたものであってもよい。
【０２５４】
図２１は、図１９のアンテナ部＃Ｘ（１９０１Ｘ）、アンテナ部＃Ｙ（１９０１Ｙ）の構成の一例を示している。（アンテナ部＃Ｘ（１９０１Ｘ）、アンテナ部＃Ｙ（１９０１Ｙ）が複数のアンテナで構成されている例である。）
【０２５５】
乗算部２１０３＿１は、アンテナ２１０１＿１で受信した受信信号２１０２＿１、制御信号２１００を入力とし、制御信号２１００に含まれる乗算係数の情報に基づき、受信信号２１０２＿１に乗算係数を乗算し、乗算後の信号２１０４＿１を出力する。
【０２５６】
受信信号２１０２＿１をＲｘ１（ｔ）（ｔ：時間）、乗算係数をＤ１（Ｄ１は複素数で定義することができ、したがって、実数であってもよい。）とすると、乗算後の信号２１０４＿１は、Ｒｘ１（ｔ）×Ｄ１とあらわされる。
【０２５７】
乗算部２１０３＿２は、アンテナ２１０１＿２で受信した受信信号２１０２＿２、制御信号２１００を入力とし、制御信号２１００に含まれる乗算係数の情報に基づき、受信信号２１０２＿２に乗算係数を乗算し、乗算後の信号２１０４＿２を出力する。
【０２５８】
受信信号２１０２＿２をＲｘ２（ｔ）、乗算係数をＤ２（Ｄ２は複素数で定義することができ、したがって、実数であってもよい。）とすると、乗算後の信号２１０４＿２は、Ｒｘ２（ｔ）×Ｄ２とあらわされる。
【０２５９】
乗算部２１０３＿３は、アンテナ２１０１＿３で受信した受信信号２１０２＿３、制御信号２１００を入力とし、制御信号２１００に含まれる乗算係数の情報に基づき、受信信号２１０２＿３に乗算係数を乗算し、乗算後の信号２１０４＿３を出力する。
【０２６０】
受信信号２１０２＿３をＲｘ３（ｔ）、乗算係数をＤ３（Ｄ３は複素数で定義することができ、したがって、実数であってもよい。）とすると、乗算後の信号２１０４＿３は、Ｒｘ３（ｔ）×Ｄ３とあらわされる。
【０２６１】
乗算部２１０３＿４は、アンテナ２１０１＿４で受信した受信信号２１０２＿４、制御信号２１００を入力とし、制御信号２１００に含まれる乗算係数の情報に基づき、受信信号２１０２＿４に乗算係数を乗算し、乗算後の信号２１０４＿４を出力する。
【０２６２】
受信信号２１０２＿４をＲｘ４（ｔ）、乗算係数をＤ４（Ｄ４は複素数で定義することができ、したがって、実数であってもよい。）とすると、乗算後の信号２１０４＿４は、Ｒｘ４（ｔ）×Ｄ４とあらわされる。
【０２６３】
合成部２１０５は、乗算後の信号２１０４＿１、２１０４＿２、２１０４＿３、１００４＿４を入力とし、乗算後の信号２１０４＿１、２１０４＿２、２１０４＿３、２１０４＿４を合成し、合成後の信号２１０６を出力する。なお、合成後の信号２１０６は、Ｒｘ１（ｔ）×Ｄ１＋Ｒｘ２（ｔ）×Ｄ２＋Ｒｘ３（ｔ）×Ｄ３＋Ｒｘ４（ｔ）×Ｄ４とあらわされる。
【０２６４】
図２１では、アンテナ部は、４本のアンテナ（および、４つの乗算部）で構成される例で説明しているが、アンテナの本数は４に限ったものではなく、２本以上のアンテナで構成されていればよい。
【０２６５】
そして、図１９のアンテナ部＃Ｘ（１９０１Ｘ）の構成が図２１のとき、受信信号１９０２Ｘは図２１の合成信号２１０６に相当し、制御信号１９１０は図１０の制御信号２１００に相当する。また、図１９のアンテナ部＃Ｙ（１９０１Ｙ）の構成が図２１のとき、受信信号１９０２Ｙは図２１の合成信号２１０６に相当し、制御信号１９１０は図２１の制御信号２１００に相当する。
【０２６６】
ただし、アンテナ部＃Ｘ（１９０１Ｘ）およびアンテナ部＃Ｙ（１９０１Ｙ）は、図２１のような構成としなくてもよく、前にも記載したようにアンテナ部は、制御信号１９１０を入力としなくてもよい。アンテナ部＃Ｘ（１９０１Ｘ）およびアンテナ部＃Ｙ（１９０１Ｙ）はそれぞれ１本のアンテナであってもよい。
【０２６７】
なお、制御信号１９００は、通信相手である装置が送信した情報に基づいて生成されたものであってもよいし、装置は入力部を具備し、その入力部から入力された情報に基づいて生成されたものであってもよい。
【０２６８】
以上、本実施の形態で示した送信方法により、図１の送信装置が変調信号を送信することで、図１の送信装置が送信した変調信号を受信する図１９の受信装置は位相雑音の影響、非線形歪みの影響を軽減することができ、これにより、データの受信品質が向上するという効果を得ることができる。
【０２６９】
なお、図１の送信装置が送信する変調信号の方式としては、シングルキャリア方式の変調信号であってもよいし、また、ＯＦＤＭ方式などのマルチキャリア方式の変調信号であってもよい。また、変調信号は、スペクトル拡散通信方式を適用してもよい。
【０２７０】
そして、図１の送信装置の制御信号１００に「シングルキャリア方式の送信／ＯＦＤＭ方式などのマルチキャリア方式の送信」を指定するための制御情報が含まれていてもよい。制御信号１００が「シングルキャリア方式の送信」を示しているとき、図１の送信装置は、シングルキャリア方式の変調信号を送信し、制御信号１００が「ＯＦＤＭ方式などのマルチキャリア方式の送信」を示しているとき、図１の送信装置は、ＯＦＤＭ方式などのマルチキャリア方式の変調信号を送信することになる。なお、図１の送信信号は、図１９の受信装置に対し、「シングルキャリア方式の送信／ＯＦＤＭ方式などのマルチキャリア方式の送信」を指定するための制御情報を送信することで、図１９の受信装置は、図１が送信した変調信号を受信し、復調、復号を行うことができるようになる。
【０２７１】
（実施の形態２）
本実施の形態では、図１の送信装置が、シングルキャリア方式の変調信号とＯＦＤＭ方式のようなマルチキャリア伝送方式の変調信号の両者、または、いずれかを送信することができる場合の、実施の形態１と異なる点について説明する。
【０２７２】
本実施の形態では、以下の３つのタイプの送信装置を考える。
【０２７３】
第１の送信装置：
第１の送信装置は、シングルキャリア方式の変調信号とＯＦＤＭ方式のようなマルチキャリア伝送方式の変調信号の両者を選択的に送信することができる送信装置であるものとする。図１の送信装置の制御信号１００に「シングルキャリア方式の送信／ＯＦＤＭ方式などのマルチキャリア方式の送信」を指定するための制御情報が含まれており、制御信号１００が「シングルキャリア方式の送信」を示しているとき、図１の送信装置は、シングルキャリア方式の変調信号を送信し、制御信号１００が「ＯＦＤＭ方式などのマルチキャリア方式の送信」を示しているとき、図１の送信装置は、ＯＦＤＭ方式などのマルチキャリア方式の変調信号を送信する場合を考える。なお、図１の送信装置は、図１９の受信装置に対し、「シングルキャリア方式の送信／ＯＦＤＭ方式などのマルチキャリア方式の送信」を指定するための制御情報を送信することで、図１９の受信装置は、図１の送信装置が送信した変調信号を受信し、復調、復号を行うことができるようになる。
【０２７４】
第２の送信装置：
第２の送信装置は、シングルキャリア方式の変調信号を送信することができる送信装置であるものとする。図１の送信装置の制御信号１００に「シングルキャリア方式の送信／ＯＦＤＭ方式などのマルチキャリア方式の送信」を指定するための制御情報が含まれている場合、この制御情報としては、「シングルキャリア方式の送信」のみ選択できるものとする。したがって、図１の送信装置は、シングルキャリア方式の変調信号を送信することになる。なお、図１の送信装置は、図１９の受信装置に対し、「シングルキャリア方式の送信／ＯＦＤＭ方式などのマルチキャリア方式の送信」を指定するための制御情報を送信することで、図１９の受信装置は、図１の送信装置が送信した変調信号を受信し、復調、復号を行うことができるようになる。
【０２７５】
第３の送信装置：
第３の送信装置は、ＯＦＤＭ方式などのマルチキャリア方式の変調信号を送信することができる送信装置であるものとする。図１の送信装置の制御信号１００に「シングルキャリア方式の送信／ＯＦＤＭ方式などのマルチキャリア方式の送信」を指定するための制御情報が含まれている場合、この制御情報としては、「ＯＦＭＤ方式などのマルチキャリア方式の送信」のみ選択できるものとする。したがって、図１の送信装置は、ＯＦＤＭ方式などのマルチキャリア方式の変調信号を送信することになる。なお、図１の送信装置は、図１９の受信装置に対し、「シングルキャリア方式の送信／ＯＦＤＭ方式などのマルチキャリア方式の送信」をしていするための制御情報を送信することで、図１９の受信装置は、図１の送信装置が送信した変調信号を受信し、復調、復号を行うことができるようになる。
【０２７６】
実施の形態１において、送信装置の構成、送信装置が送信する変調信号を受信装置の受信装置の構成、シングルキャリア方式のときのフレーム構成例、ＯＦＤＭ方式のようなマルチキャリア伝送方式のときのフレーム構成例について説明したので、ここでは説明を省略する。
【０２７７】
本実施の形態では、シングルキャリア方式のときの変調信号の送信信号方法として、実施の形態１で説明した「第１の選択方法」、または、「第２の選択方法」、または、「第３の選択方法」のいずれかを適用し、図１の送信装置は、変調信号を送信するものとする。このとき、第２の送信装置において、ＲＦ部の位相雑音の影響、送信電力増幅器における非線形歪みの影響を小さくすることができ、送信方法によっては、送信ダイバーシチの効果を得ることができることになる。これにより、第２の送信装置が送信する変調信号を受信する受信装置において、データの受信品質が向上するという効果を得ることができる。
【０２７８】
そして、本実施の形態では、ＯＦＤＭ方式のようなマルチキャリア伝送方式の変調信号を送信する際の方法として、以下を考える。
【０２７９】
第４の選択方法：
図１の送信装置は、制御信号１００に含まれる送信方法の情報に基づき変調信号の送信方法を切り替えるものとする。このとき、図１の送信装置は、以下の送信方法を選択できるものとする。
【０２８０】
送信方法＃４−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０２８１】
送信方法＃４−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０２８２】
送信方法＃４−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０２８３】
送信方法＃４−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０２８４】
送信方法＃４−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０２８５】
送信方法＃４−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０２８６】
送信方法＃４−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
【０２８７】
送信方法＃４−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０２８８】
送信方法＃４−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０２８９】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０２９０】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０２９１】
ここでのプリコーディングの処理について説明する。
【０２９２】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０２９３】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０２９４】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０２９５】
なお、第４の選択方法では、送信方法＃４−１から送信方法＃４−９のすべての送信方法に対応していなくてもよい。例えば、第４の選択方法では、送信方法＃４−５、送信方法＃４−６、送信方法＃４−７の３つの送信方法のうち、一つ以上の送信方法に対応していればよい。そして、第４の送信方法では、送信方法＃４−８、送信方法＃４−９の２つの送信方法のうち、一つ以上の送信方法に対応していればよい。
【０２９６】
また、第４の選択方法では、送信方法＃４−１に対応していなくてもよい。（第４の選択方法では、図１の送信装置の送信方法の選択候補に、送信方法＃４−１を含まない。）
【０２９７】
第４の選択方法に、送信方法＃４−１から送信方法＃４−９以外の送信方法が含まれていてもよい。
【０２９８】
このとき、以下を満たすことになる。
【０２９９】
送信方法＃４−１：
送信信号の同相Ｉ−直交Ｑ平面における信号点の数は２。
【０３００】
送信方法＃４−２：
送信信号の同相Ｉ−直交Ｑ平面における信号点の数は４。
【０３０１】
送信方法＃４−３：
送信信号の同相Ｉ−直交Ｑ平面における信号点の数は１６。
【０３０２】
送信方法＃４−４：
送信信号の同相Ｉ−直交Ｑ平面における信号点の数は６４。
【０３０３】
送信方法＃４−５：
送信信号の同相Ｉ−直交Ｑ平面における信号点の数は２より大きく４以下。送信ダイバーシチの効果を得ることが可能。
【０３０４】
送信方法＃４−６：
送信信号の同相Ｉ−直交Ｑ平面における信号点の数は４より大きく１６以下。送信ダイバーシチの効果を得ることが可能。
【０３０５】
送信方法＃４−７：
送信信号の同相Ｉ−直交Ｑ平面における信号点の数は４より大きく６４以下。送信ダイバーシチの効果を得ることが可能。
【０３０６】
送信方法＃４−８：
送信信号の同相Ｉ−直交Ｑ平面における信号点の数は１６より大きく２５６以下。送信ダイバーシチの効果を得ることが可能。
【０３０７】
送信方法＃４−９：
送信信号の同相Ｉ−直交Ｑ平面における信号点の数は６４以上４０９６以下。送信ダイバーシチの効果を得ることができる場合があってもよい。
【０３０８】
以上のように、シングルキャリア方式の変調信号を送信するときの送信方法の選択方法とＯＦＤＭ方式のようなマルチキャリア方式の変調信号を送信するときの送信方法の選択方法が異なる。
【０３０９】
ＯＦＤＭ方式のようなマルチキャリア方式の変調信号を送信するときの送信方法の選択方法として、第４の選択方法とした理由について説明する。
【０３１０】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
【０３１１】
したがって、図１の送信装置が「第３の送信装置」（または、第１の送信装置）の場合、第４の選択方法のようにすることで、複数の変調信号を送信している場合、受信装置が高いデータの受信品質を得ることができる可能性を高くするために、プリコーディングを実施することを可能な限り優先している。
【０３１２】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
【０３１３】
次に、ＯＦＤＭ方式のようなマルチキャリア伝送方式の変調信号を送信する際の、第４の選択方法と異なる第５の選択方法について述べる。
【０３１４】
第５の選択方法：
送信方法＃５−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０３１５】
送信方法＃５−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０３１６】
送信方法＃５−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０３１７】
送信方法＃５−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０３１８】
送信方法＃５−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０３１９】
送信方法＃５−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０３２０】
送信方法＃５−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
【０３２１】
送信方法＃５−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０３２２】
ここでのプリコーディングの処理について説明する。
【０３２３】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０３２４】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０３２５】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０３２６】
送信方法＃５−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０３２７】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０３２８】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０３２９】
ここでのプリコーディングの処理について説明する。
【０３３０】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０３３１】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０３３２】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０３３３】
なお、第５の選択方法では、送信方法＃５−１から送信方法＃５−９のすべての送信方法に対応していなくてもよい。例えば、第５の選択方法では、送信方法＃５−５、送信方法＃５−６、送信方法＃５−７の３つの送信方法のうち、一つ以上の送信方法に対応していればよい。そして、第５の送信方法では、送信方法＃５−８、送信方法＃５−９の２つの送信方法のうち、一つ以上の送信方法に対応していればよい。
【０３３４】
また、第５の選択方法では、送信方法＃４−１に対応していなくてもよい。（第５の選択方法では、図１の送信装置の送信方法の選択候補に、送信方法＃５−１を含まない。）
【０３３５】
第５の選択方法に、送信方法＃５−１から送信方法＃５−９以外の送信方法が含まれていてもよい。
【０３３６】
このとき、以下を満たすことになる。
【０３３７】
送信方法＃５−１：
送信信号の同相Ｉ−直交Ｑ平面における信号点の数は２。
【０３３８】
送信方法＃５−２：
送信信号の同相Ｉ−直交Ｑ平面における信号点の数は４。
【０３３９】
送信方法＃５−３：
送信信号の同相Ｉ−直交Ｑ平面における信号点の数は１６。
【０３４０】
送信方法＃５−４：
送信信号の同相Ｉ−直交Ｑ平面における信号点の数は６４。
【０３４１】
送信方法＃５−５：
送信信号の同相Ｉ−直交Ｑ平面における信号点の数は２より大きく４以下。送信ダイバーシチの効果を得ることが可能。
【０３４２】
送信方法＃５−６：
送信信号の同相Ｉ−直交Ｑ平面における信号点の数は４より大きく１６以下。送信ダイバーシチの効果を得ることが可能。
【０３４３】
送信方法＃５−７：
送信信号の同相Ｉ−直交Ｑ平面における信号点の数は４より大きく６４以下。送信ダイバーシチの効果を得ることが可能。
【０３４４】
送信方法＃５−８：
送信信号の同相Ｉ−直交Ｑ平面における信号点の数は１６以上２５６以下。送信ダイバーシチの効果を得ることができる場合がある。
【０３４５】
送信方法＃５−９：
送信信号の同相Ｉ−直交Ｑ平面における信号点の数は６４以上４０９６以下。送信ダイバーシチの効果を得ることができる場合があってもよい。
【０３４６】
以上のように、シングルキャリア方式の変調信号を送信するときの送信方法の選択方法とＯＦＤＭ方式のようなマルチキャリア方式の変調信号を送信するときの送信方法の選択方法が異なる。
【０３４７】
ＯＦＤＭ方式のようなマルチキャリア方式の変調信号を送信するときの送信方法の選択方法として、第５の選択方法とした理由について説明する。
【０３４８】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
【０３４９】
したがって、図１の送信装置が「第３の送信装置」（または、第１の送信装置）の場合、第５の選択方法のようにすることで、複数の変調信号を送信している場合、受信装置が高いデータの受信品質を得ることができる可能性を高くするために、プリコーディングを実施することを可能な限り優先している。
【０３５０】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
【０３５１】
次に、ＯＦＤＭ方式のようなマルチキャリア伝送方式の変調信号を送信する際の、第４の選択方法、第５の選択方法とは異なる第６の選択方法について述べる。
【０３５２】
第６の選択方法：
送信方法＃６−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０３５３】
送信方法＃６−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０３５４】
送信方法＃６−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０３５５】
送信方法＃６−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０３５６】
送信方法＃６−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０３５７】
ここでのプリコーディングの処理について説明する。
【０３５８】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０３５９】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０３６０】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０３６１】
送信方法＃６−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０３６２】
ここでのプリコーディングの処理について説明する。
【０３６３】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０３６４】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０３６５】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０３６６】
送信方法＃６−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
【０３６７】
送信方法＃６−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０３６８】
送信方法＃６−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０３６９】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０３７０】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０３７１】
ここでのプリコーディングの処理について説明する。
【０３７２】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０３７３】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０３７４】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０３７５】
なお、第６の選択方法では、送信方法＃６−１から送信方法＃６−９のすべての送信方法に対応していなくてもよい。例えば、第６の選択方法では、送信方法＃６−５、送信方法＃６−６、送信方法＃６−７の３つの送信方法のうち、一つ以上の送信方法に対応していればよい。そして、第６の送信方法では、送信方法＃６−８、送信方法＃６−９の２つの送信方法のうち、一つ以上の送信方法に対応していればよい。
【０３７６】
また、第６の選択方法では、送信方法＃６−１に対応していなくてもよい。（第６の選択方法では、図１の送信装置の送信方法の選択候補に、送信方法＃６−１を含まない。）      
【０３７７】
第６の選択方法に、送信方法＃６−１から送信方法＃６−９以外の送信方法が含まれていてもよい。
【０３７８】
このとき、以下を満たすことになる。
【０３７９】
送信方法＃６−１：
送信信号の同相Ｉ−直交Ｑ平面における信号点の数は２。
【０３８０】
送信方法＃６−２：
送信信号の同相Ｉ−直交Ｑ平面における信号点の数は４。
【０３８１】
送信方法＃６−３：
送信信号の同相Ｉ−直交Ｑ平面における信号点の数は１６。
【０３８２】
送信方法＃６−４：
送信信号の同相Ｉ−直交Ｑ平面における信号点の数は６４。
【０３８３】
送信方法＃６−５：
送信信号の同相Ｉ−直交Ｑ平面における信号点の数は２以上４以下。送信ダイバーシチの効果を得ることが可能な場合が存在する。
【０３８４】
送信方法＃６−６：
送信信号の同相Ｉ−直交Ｑ平面における信号点の数は４以上１６以下。送信ダイバーシチの効果を得ることが可能な場合が存在する。
【０３８５】
送信方法＃６−７：
送信信号の同相Ｉ−直交Ｑ平面における信号点の数は４より大きく６４以下。送信ダイバーシチの効果を得ることが可能。
【０３８６】
送信方法＃６−８：
送信信号の同相Ｉ−直交Ｑ平面における信号点の数は１６より大きく２５６以下。送信ダイバーシチの効果を得ることが可能。
【０３８７】
送信方法＃６−９：
送信信号の同相Ｉ−直交Ｑ平面における信号点の数は６４以上４０９６以下。送信ダイバーシチの効果を得ることができる場合があってもよい。
【０３８８】
以上のように、シングルキャリア方式の変調信号を送信するときの送信方法の選択方法とＯＦＤＭ方式のようなマルチキャリア方式の変調信号を送信するときの送信方法の選択方法が異なる。
【０３８９】
ＯＦＤＭ方式のようなマルチキャリア方式の変調信号を送信するときの送信方法の選択方法として、第６の選択方法とした理由について説明する。
【０３９０】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
【０３９１】
したがって、図１の送信装置が「第３の送信装置」（または、第１の送信装置）の場合、第６の選択方法のようにすることで、複数の変調信号を送信している場合、受信装置が高いデータの受信品質を得ることができる可能性を高くするために、プリコーディングを実施することを可能な限り優先している。
【０３９２】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
【０３９３】
次に、ＯＦＤＭ方式のようなマルチキャリア伝送方式の変調信号を送信する際の、第４の選択方法、第５の選択方法、第６の選択方法とは異なる第７の選択方法について述べる。
【０３９４】
第７の選択方法：
送信方法＃７−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０３９５】
送信方法＃７−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０３９６】
送信方法＃７−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０３９７】
送信方法＃７−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０３９８】
送信方法＃７−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０３９９】
ここでのプリコーディングの処理について説明する。
【０４００】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０４０１】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０４０２】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０４０３】
送信方法＃７−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０４０４】
ここでのプリコーディングの処理について説明する。
【０４０５】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０４０６】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０４０７】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０４０８】
送信方法＃７−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
【０４０９】
送信方法＃７−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０４１０】
ここでのプリコーディングの処理について説明する。
【０４１１】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０４１２】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０４１３】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０４１４】
送信方法＃７−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０４１５】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０４１６】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０４１７】
ここでのプリコーディングの処理について説明する。
【０４１８】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０４１９】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０４２０】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０４２１】
なお、第７の選択方法では、送信方法＃７−１から送信方法＃７−９のすべての送信方法に対応していなくてもよい。例えば、第７の選択方法では、送信方法＃７−５、送信方法＃７−６、送信方法＃７−７の３つの送信方法のうち、一つ以上の送信方法に対応していればよい。そして、第７の送信方法では、送信方法＃７−８、送信方法＃７−９の２つの送信方法のうち、一つ以上の送信方法に対応していればよい。
【０４２２】
また、第７の選択方法では、送信方法＃７−１に対応していなくてもよい。（第７の選択方法では、図１の送信装置の送信方法の選択候補に、送信方法＃７−１を含まない。）
【０４２３】
第７の選択方法に、送信方法＃７−１から送信方法＃７−９以外の送信方法が含まれていてもよい。
【０４２４】
このとき、以下を満たすことになる。
【０４２５】
送信方法＃７−１：
送信信号の同相Ｉ−直交Ｑ平面における信号点の数は２。
【０４２６】
送信方法＃７−２：
送信信号の同相Ｉ−直交Ｑ平面における信号点の数は４。
【０４２７】
送信方法＃７−３：
送信信号の同相Ｉ−直交Ｑ平面における信号点の数は１６。
【０４２８】
送信方法＃７−４：
送信信号の同相Ｉ−直交Ｑ平面における信号点の数は６４。
【０４２９】
送信方法＃７−５：
送信信号の同相Ｉ−直交Ｑ平面における信号点の数は２以上４以下。送信ダイバーシチの効果を得ることが可能な場合が存在する。
【０４３０】
送信方法＃７−６：
送信信号の同相Ｉ−直交Ｑ平面における信号点の数は４以上１６以下。送信ダイバーシチの効果を得ることが可能な場合が存在する。
【０４３１】
送信方法＃７−７：
送信信号の同相Ｉ−直交Ｑ平面における信号点の数は４より大きく６４以下。送信ダイバーシチの効果を得ることが可能。
【０４３２】
送信方法＃７−８：
送信信号の同相Ｉ−直交Ｑ平面における信号点の数は１６以上２５６以下。送信ダイバーシチの効果を得ることができる場合がある。
【０４３３】
送信方法＃７−９：
送信信号の同相Ｉ−直交Ｑ平面における信号点の数は６４以上４０９６以下。送信ダイバーシチの効果を得ることができる場合があってもよい。
【０４３４】
以上のように、シングルキャリア方式の変調信号を送信するときの送信方法の選択方法とＯＦＤＭ方式のようなマルチキャリア方式の変調信号を送信するときの送信方法の選択方法が異なる。
【０４３５】
ＯＦＤＭ方式のようなマルチキャリア方式の変調信号を送信するときの送信方法の選択方法として、第７の選択方法とした理由について説明する。
【０４３６】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
【０４３７】
したがって、図１の送信装置が「第３の送信装置」（または、第１の送信装置）の場合、第７の選択方法のようにすることで、複数の変調信号を送信している場合、受信装置が高いデータの受信品質を得ることができる可能性を高くするために、プリコーディングを実施することを可能な限り優先している。
【０４３８】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
【０４３９】
次に、ＯＦＤＭ方式のようなマルチキャリア伝送方式の変調信号を送信する際の、第４の選択方法、第５の選択方法、第６の選択方法、第７の選択方法とは異なる第８の選択方法について述べる。
【０４４０】
第８の選択方法：
送信方法＃８−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０４４１】
送信方法＃８−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０４４２】
送信方法＃８−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０４４３】
送信方法＃８−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０４４４】
送信方法＃８−５：
送信方法＃４−５、または、送信方法＃６−５のいずれかの送信方法。
【０４４５】
送信方法＃８−６：
送信方法＃４−６、または、送信方法＃６−６のいずれかの送信方法。
【０４４６】
送信方法＃８−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０４４７】
送信方法＃８−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０４４８】
送信方法＃８−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０４４９】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０４５０】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０４５１】
ここでのプリコーディングの処理について説明する。
【０４５２】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０４５３】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０４５４】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０４５５】
なお、第８の選択方法では、送信方法＃８−１から送信方法＃８−９のすべての送信方法に対応していなくてもよい。例えば、第８の選択方法では、送信方法＃８−５、送信方法＃８−６、送信方法＃８−７の３つの送信方法のうち、一つ以上の送信方法に対応していればよい。そして、第８の送信方法では、送信方法＃８−８、送信方法＃８−９の２つの送信方法のうち、一つ以上の送信方法に対応していればよい。
【０４５６】
また、第８の選択方法では、送信方法＃８−１に対応していなくてもよい。（第８の選択方法では、図１の送信装置の送信方法の選択候補に、送信方法＃８−１を含まない。）
【０４５７】
第８の選択方法に、送信方法＃８−１から送信方法＃８−９以外の送信方法が含まれていてもよい。
【０４５８】
このとき、以下を満たすことになる。
【０４５９】
送信方法＃８−１：
送信信号の同相Ｉ−直交Ｑ平面における信号点の数は２。
【０４６０】
送信方法＃８−２：
送信信号の同相Ｉ−直交Ｑ平面における信号点の数は４。
【０４６１】
送信方法＃８−３：
送信信号の同相Ｉ−直交Ｑ平面における信号点の数は１６。
【０４６２】
送信方法＃８−４：
送信信号の同相Ｉ−直交Ｑ平面における信号点の数は６４。
【０４６３】
送信方法＃８−５：
送信信号の同相Ｉ−直交Ｑ平面における信号点の数は２以上４以下。送信ダイバーシチの効果を得ることが可能な場合が存在する。
【０４６４】
送信方法＃８−６：
送信信号の同相Ｉ−直交Ｑ平面における信号点の数は４以上１６以下。送信ダイバーシチの効果を得ることが可能な場合が存在する。
【０４６５】
送信方法＃８−７：
送信信号の同相Ｉ−直交Ｑ平面における信号点の数は４より大きく６４以下。送信ダイバーシチの効果を得ることが可能。
【０４６６】
送信方法＃８−８：
送信信号の同相Ｉ−直交Ｑ平面における信号点の数は１６より大きく２５６以下。送信ダイバーシチの効果を得ることが可能。
【０４６７】
送信方法＃８−９：
送信信号の同相Ｉ−直交Ｑ平面における信号点の数は６４以上４０９６以下。送信ダイバーシチの効果を得ることができる場合があってもよい。
【０４６８】
以上のように、シングルキャリア方式の変調信号を送信するときの送信方法の選択方法とＯＦＤＭ方式のようなマルチキャリア方式の変調信号を送信するときの送信方法の選択方法が異なる。
【０４６９】
ＯＦＤＭ方式のようなマルチキャリア方式の変調信号を送信するときの送信方法の選択方法として、第８の選択方法とした理由について説明する。
【０４７０】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
【０４７１】
したがって、図１の送信装置が「第３の送信装置」（または、第１の送信装置）の場合、第８の選択方法のようにすることで、複数の変調信号を送信している場合、受信装置が高いデータの受信品質を得ることができる可能性を高くするために、プリコーディングを実施することを可能な限り優先している。
【０４７２】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
【０４７３】
次に、ＯＦＤＭ方式のようなマルチキャリア伝送方式の変調信号を送信する際の、第４の選択方法、第５、選択方法、第６の選択方法、第７の選択方法、第８の選択方法とは異なる第９の選択方法について述べる。
【０４７４】
第９の選択方法：
送信方法＃９−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０４７５】
送信方法＃９−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０４７６】
送信方法＃９−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０４７７】
送信方法＃９−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０４７８】
送信方法＃９−５：
送信方法＃４−５、または、送信方法＃６−５のいずれかの送信方法。
【０４７９】
送信方法＃９−６：
送信方法＃４−６、または、送信方法＃６−６のいずれかの送信方法。
【０４８０】
送信方法＃９−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０４８１】
送信方法＃９−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０４８２】
ここでのプリコーディングの処理について説明する。
【０４８３】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０４８４】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０４８５】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０４８６】
送信方法＃９−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０４８７】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０４８８】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０４８９】
ここでのプリコーディングの処理について説明する。
【０４９０】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０４９１】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０４９２】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０４９３】
なお、第９の選択方法では、送信方法＃９−１から送信方法＃９−９のすべての送信方法に対応していなくてもよい。例えば、第９の選択方法では、送信方法＃９−５、送信方法＃９−６、送信方法＃９−７の３つの送信方法のうち、一つ以上の送信方法に対応していればよい。そして、第９の送信方法では、送信方法＃９−８、送信方法＃９−９の２つの送信方法のうち、一つ以上の送信方法に対応していればよい。
【０４９４】
また、第９の選択方法では、送信方法＃９−１に対応していなくてもよい。（第９の選択方法では、図１の送信装置の送信方法の選択候補に、送信方法＃９−１を含まない。）
【０４９５】
第９の選択方法に、送信方法＃９−１から送信方法＃９−９以外の送信方法が含まれていてもよい。
【０４９６】
このとき、以下を満たすことになる。
【０４９７】
送信方法＃９−１：
送信信号の同相Ｉ−直交Ｑ平面における信号点の数は２。
【０４９８】
送信方法＃９−２：
送信信号の同相Ｉ−直交Ｑ平面における信号点の数は４。
【０４９９】
送信方法＃９−３：
送信信号の同相Ｉ−直交Ｑ平面における信号点の数は１６。
【０５００】
送信方法＃９−４：
送信信号の同相Ｉ−直交Ｑ平面における信号点の数は６４。
【０５０１】
送信方法＃９−５：
送信信号の同相Ｉ−直交Ｑ平面における信号点の数は２以上４以下。送信ダイバーシチの効果を得ることが可能な場合が存在する。
【０５０２】
送信方法＃９−６：
送信信号の同相Ｉ−直交Ｑ平面における信号点の数は４以上１６以下。送信ダイバーシチの効果を得ることが可能な場合が存在する。
【０５０３】
送信方法＃９−７：
送信信号の同相Ｉ−直交Ｑ平面における信号点の数は４より大きく６４以下。送信ダイバーシチの効果を得ることが可能。
【０５０４】
送信方法＃９−８：
送信信号の同相Ｉ−直交Ｑ平面における信号点の数は１６以上２５６以下。送信ダイバーシチの効果を得ることができる場合がある。
【０５０５】
送信方法＃９−９：
送信信号の同相Ｉ−直交Ｑ平面における信号点の数は６４以上４０９６以下。送信ダイバーシチの効果を得ることができる場合があってもよい。
【０５０６】
以上のように、シングルキャリア方式の変調信号を送信するときの送信方法の選択方法とＯＦＤＭ方式のようなマルチキャリア方式の変調信号を送信するときの送信方法の選択方法が異なる。
【０５０７】
ＯＦＤＭ方式のようなマルチキャリア方式の変調信号を送信するときの送信方法の選択方法として、第９の選択方法とした理由について説明する。
【０５０８】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
【０５０９】
したがって、図１の送信装置が「第３の送信装置」（または、第１の送信装置）の場合、第９の選択方法のようにすることで、複数の変調信号を送信している場合、受信装置が高いデータの受信品質を得ることができる可能性を高くするために、プリコーディングを実施することを可能な限り優先している。
【０５１０】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
【０５１１】
次に、これまでに説明したシングルキャリアの送信方法とＯＦＤＭ方式などのマルチキャリア方式における送信方法の適用例について説明する。
【０５１２】
例えば、無線通信方法として、規格αが存在するものとする。そして、規格αは、使用する周波数帯が決まっており、周波数帯域が一つ以上設定された規格であるものとする。このとき、規格αでは、シングルキャリア伝送、および、ＯＦＤＭ方式などのマルチキャリアの伝送の両者の変調信号の送信が可能な規格であるものとする。
【０５１３】
そして、シングルキャリア伝送として、実施の形態１で説明した「第１の選択方法」、または、「第２の選択方法」、または、「第３の選択方法」のいずれかの選択方法をサポートしており、また、ＯＦＤＭ方式などのマルチキャリア伝送として、本実施の形態で説明した「第４の選択方法」、または、「第５の選択方法」、または、「第６の選択方法」、または、「第７の選択方法」、または、「第８の選択方法」、または、「第９の選択方法」のいずれかの選択方法をサポートしているものとする。
【０５１４】
したがって、「第１の送信装置」、「第２の送信装置」、「第３の送信装置」の記載に基づくと、以下の３つのタイプの送信装置を考えることができる。
【０５１５】
第４の送信装置：
第４の送信装置は、規格αのシングルキャリア方式の変調信号と規格αのＯＦＤＭ方式のようなマルチキャリア伝送方式の変調信号の両者を選択的に送信することができる送信装置であるものとする。図１の送信装置の制御信号１００に「シングルキャリア方式の送信／ＯＦＤＭ方式などのマルチキャリア方式の送信」を指定するための制御情報が含まれており、制御信号１００が「シングルキャリア方式の送信」を示しているとき、図１の送信装置は、規格αのシングルキャリア方式の変調信号を送信し、制御信号１００が「ＯＦＤＭ方式などのマルチキャリア方式の送信」を示しているとき、図１の送信装置は、規格αのＯＦＤＭ方式などのマルチキャリア方式の変調信号を送信するものとする。なお、図１の送信装置は、図１９の受信装置に対し、「シングルキャリア方式の送信／ＯＦＤＭ方式などのマルチキャリア方式の送信」を指定するための制御情報を送信することで、図１９の受信装置は、図１の送信装置が送信した変調信号を受信し、復調、復号を行うことができるようになる。
【０５１６】
第５の送信装置：
第５の送信装置は、規格αのシングルキャリア方式の変調信号を送信することができる送信装置であるものとする。図１の送信装置の制御信号１００に「シングルキャリア方式の送信／ＯＦＤＭ方式などのマルチキャリア方式の送信」を指定するための制御情報が含まれている場合、この制御情報としては、「シングルキャリア方式の送信」のみ選択できるものとする。したがって、図１の送信装置は、規格αのシングルキャリア方式の変調信号を送信することになる。なお、図１の送信装置は、図１９の受信装置に対し、「シングルキャリア方式の送信／ＯＦＤＭ方式などのマルチキャリア方式の送信」を指定するための制御情報を送信することで、図１９の受信装置は、図１の送信装置が送信した変調信号を受信し、復調、復号を行うことができるようになる。
【０５１７】
第６の送信装置：
第６の送信装置は、規格αのＯＦＤＭ方式などのマルチキャリア方式の変調信号を送信することができる送信装置であるものとする。図１の送信装置の制御信号１００に「シングルキャリア方式の送信／ＯＦＤＭ方式などのマルチキャリア方式の送信」を指定するための制御情報が含まれている場合、この制御情報としては、「ＯＦＭＤ方式などのマルチキャリア方式の送信」のみ選択できるものとする。したがって、図１の送信装置は、規格αのＯＦＤＭ方式などのマルチキャリア方式の変調信号を送信することになる。なお、図１の送信装置は、図１９の受信装置に対し、「シングルキャリア方式の送信／ＯＦＤＭ方式などのマルチキャリア方式の送信」をしていするための制御情報を送信することで、図１９の受信装置は、図１の送信装置が送信した変調信号を受信し、復調、復号を行うことができるようになる。
【０５１８】
第４の送信装置において規格αに対応する場合、例えば、規格αのシングルキャリア方式の変調信号の送信と規格αのＯＦＤＭ方式などのマルチキャリア伝送方式の変調信号の送信を、送信装置において、共通のＲＦ部、共通の送信電力増幅器で対応した場合、規格αのＯＦＤＭ方式などのマルチキャリア伝送方式の変調信号に対し、位相雑音および非線形歪みの影響が小さいような、ＲＦ部、送信電力増幅器を用いることになる。したがって、規格αのシングルキャリア方式の変調信号に対しても、位相雑音および非線形歪みの影響は小さく、したがって、この送信装置が、規格αのシングルキャリア方式の変調を送信しても、規格αのＯＦＤＭ方式などのマルチキャリア伝送方式の変調信号しても、受信装置は、高いデータの受信品質を得ることができるという効果がある。
【０５１９】
別の方法として、第４の送信装置において、規格αのシングルキャリア方式の変調信号を送信する際は、シングルキャリア方式の変調信号送信用のＲＦ部および送信電力増幅器を使用し、規格αのＯＦＤＭ方式などのマルチキャリア伝送方式の変調信号を送信する際は、ＯＦＤＭ方式などのマルチキャリア方式の変調信号送信用のＲＦ部および送信電力増幅器を使用するものとする。
【０５２０】
すると、この送信装置が、規格αのシングルキャリア方式の変調信号を送信しても、規格αのＯＦＤＭ方式などのマルチキャリア伝送方式の変調信号を送信しても、受信装置は、高いデータの受信品質を得ることができるという効果がある。また、この送信装置が、規格αのシングルキャリア方式の変調信号を送信する場合、好適なＲＦ部、送信電力増幅器を使用することができるので、消費電力を少なくすることができるという効果が得られる。
【０５２１】
第５の送信装置において、規格αのシングルキャリア方式の変調信号を送信するものとする。このとき、実施の形態１、実施の形態２で説明したように、選択方法において、送信可能な送信方法が限定されており、これにより、ＰＡＰＲを小さくすることができる。よって、位相雑音および非線形歪みの影響を軽減することができ、送信装置が送信した変調信号を受信する受信装置において、データの受信品質が向上するという効果を得ることができるとともに、送信装置において、回路規模が小さく、また、消費電力の少ない、ＲＦ部、送信電力増幅器を使用することができるという効果を得ることができる。
【０５２２】
第６の送信装置において、規格αのＯＦＤＭ方式などのマルチキャリア方式の変調信号を送信するものとする。このとき、実施の形態２で説明したように、選択方法において、送信可能な送信方法が限定されており、これにより、送信装置が送信した変調信号を受信する受信装置において、データの受信品質は向上するという効果を得ることができる。
【０５２３】
以上のように、シングルキャリア伝送、および、ＯＦＤＭ方式などのマルチキャリアの伝送方法の両者に対応している規格αにおいて、シングルキャリア伝送で対応している送信方法とＯＦＤＭ方式などのマルチキャリアの伝送方法で対応している送信方法に異なる部分が存在することが重要となる。これにより、上述で説明したような効果を得ることができることになる。
【０５２４】
なお、シングルキャリア方式の変調信号に対し、スペクトル拡散通信方式を適用してもよく、また、ＯＦＤＭ方式などのマルチキャリア方式の変調信号に対し、スペクトル拡散通信方式を適用してもよい。
【０５２５】
（補足１）
当然であるが、本明細書において説明した実施の形態、その他の内容を複数組み合わせて、実施してもよい。
【０５２６】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０５２７】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０５２８】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０５２９】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０５３０】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
【０５３１】
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
【０５３２】
なお、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【０５３３】
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
【０５３４】
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０５３５】
また、本明細書における実施の形態において、送信装置の構成として、図１の構成に基づく説明したを行ったが、これに限ったものではなく、例えば、図２２のような構成であっても、各実施の形態は実施することができる。
【０５３６】
図２２において、図１と同様に動作するものについては、同一番号を付しており、図１と同様に動作するものについては、説明を省略する。
【０５３７】
図２２において、図１と動作の異なる点は、誤り訂正符号化部１０２が、符号化データ１０３＿１、１０３＿２を出力する点である。例えば、誤り訂正符号化部１０２は、ＬＤＰＣ（low density parity check）符号などのブロック符号の符号化を行うものとする。このとき、第２ｎ−１番目のブロックの符号化データを符号化データ１０３＿１として出力し、第２ｎ番目のブロックの符号化データを符号化データ１０３＿１として出力する（ｎは１以上の整数とする）。
【０５３８】
そして、マッピング部１０４は、符号化データ１０３＿１に基づいて、指定された変調方式のマッピングを行い、マッピング後の信号１０５＿１を出力し、符号化データ１０３＿２に基づいて、指定された変調方式のマッピングを行い、マッピング後の信号１０５＿２を出力する。
【０５３９】
また、図１、図２２の信号処理部１０６の構成として図２を用いて、本明細書における実施の形態を説明したが、図２にかわり図２３の構成として、各実施の形態を実施してもよい。
【０５４０】
図２３において、図２と同様に動作するものについては、同一番号を付しており、図２と同様に動作するものについては、説明を省略する。
【０５４１】
図２３において、図２と異なる点は、図２３では、図２の位相変更部２０９Ｂがないという点である。したがって、ベースバンド信号２０８Ａが図１、図２２の信号処理後の信号１０６＿Ａに相当し、ベースバンド信号２０８Ｂが図１、図２２の信号処理後の信号１０６＿Ｂに相当する。
【０５４２】
本明細書において、送信装置の具体的な構成が異なっていたとしても、本明細書で開示した各実施の形態において説明した信号処理後の信号１０６＿Ａ、１０６＿Ｂのいずれかと同じ信号を生成し、複数のアンテナ部を用いて送信すれば、受信装置は、直接波が支配的な環境、特に、ＬＯＳ環境のときに、ＭＩＭＯ伝送を行っている（複数のストリームを伝送している）データシンボルの受信装置におけるデータの受信品質が向上するという効果を得ることができる。（本明細書で記載したその他の効果も同様に得ることができる。）
【０５４３】
なお、図１、図２２の信号処理部１０６において、重み付け合成部２０３の前と後ろの両方に位相変更部を設けてもよい。具体的には、信号処理部１０６は、重み付け合成部２０３の前段に、マッピング後の信号２０１Ａに対して位相変更を施して位相変更後の信号２８０１Ａを生成する位相変更部２０５Ａ＿１、及びマッピング後の信号２０１Ｂに対して位相変更を施して位相変更後の信号２８０１Ｂを生成する位相変更部２０５Ｂ＿１のいずれか一方または両方を備える。さらに、信号処理部１０６は、挿入部２０７Ａ、２０７Ｂの前段に、重み付け合成後の信号２０４Ａに対して位相変更を施して位相変更後の信号２０６Ａを生成する位相変更部２０５Ａ＿２、及び重み付け合成後の信号２０４Ｂに対して位相変更を施して位相変更後の信号２０６Ｂを生成する位相変更部２０５Ｂ＿２のいずれか一方または両方を備える。
【０５４４】
ここで、信号処理部１０６が位相変更部２０５Ａ＿１を備える場合、重み付け合成部２０３一方の入力は位相変更後の信号２８０１Ａであり、信号処理部１０６が位相変更部２０５Ａ＿１を備えない場合、重み付け合成部２０３一方の入力はマッピング後の信号２０１Ａである。信号処理部１０６が位相変更部２０５Ｂ＿１を備える場合、重み付け合成部２０３の他方の入力は位相変更後の信号２８０１Ｂであり、信号処理部１０６が位相変更部２０５Ｂ＿１を備えない場合、重み付け合成部２０３の他方の入力はマッピング後の信号２０１Ｂである。信号処理部１０６が位相変更部２０５Ａ＿２を備える場合、挿入部２０７Ａの入力は位相変更後の信号２０６Ａであり、信号処理部１０６が位相変更部２０５Ａ＿２を備えない場合、挿入部２０７Ａの入力は重み付け合成後の信号２０４Ａである。そして、信号処理部１０６が位相変更部２０５Ｂ＿２を備える場合、挿入部２０７Ｂの入力は位相変更後の信号２０６Ｂであり、信号処理部１０６が位相変更部２０５Ｂ＿２を備えない場合、挿入部２０７Ｂの入力は重み付け合成後の信号２０４Ｂである。
【０５４５】
また、図１、図２２の送信装置は、信号処理部１０６の出力である信号処理後の信号１０６＿Ａ、１０６＿Ｂに対し、別の信号処理を施す第２の信号処理部を備えていてもよい。このとき、第２の信号処理部が出力する２つの信号を第２の信号処理後の信号Ａ、第２の信号処理後の信号Ｂとすると、無線部１０７＿Ａは、第２の信号処理後の信号Ａを入力とし、所定の処理を施し、無線部１０７＿Ｂは、第２の信号処理後の信号Ｂを入力とし、所定の処理を施す。
【０５４６】
信号処理部１０６が、挿入部２０７Ａ、２０７Ｂの前段に、重み付け合成後の信号２０４Ａに対して位相変更を施して位相変更後の信号２０６Ａを生成する位相変更部２０５Ａ＿２、及び重み付け合成後の信号２０４Ｂに対して位相変更を施して位相変更後の信号２０６Ｂを生成する位相変更部２０５Ｂ＿２の両方を備える構成とした場合、挿入部２０７Ａ、２０７Ｂに入力される位相変更後の信号２０６Ａ（ｚ１（ｉ））、２０６Ｂ（ｚ２（ｉ））は、例えば、式（３）及び式（３７）から式（４５）における
【数４７】
2018012520.tif 000049
を、
【数４８】
2018012520.tif 000050
へと置き換える第１の置き換えを行った置き換え後の式のいずれかで表される。式（３）及び式（３７）から式（４５）に対して上述した第１の置き換えを行った置き換え後の式は、本願の明細書において式（３）及び式（３７）から式（４５）のいずれかを用いて説明した全ての構成に対し、その変形例を表す式として適用可能である。
【０５４７】
位相変更の値Ａ（ｙＡ（ｉ））、位相変更の値Ｂ（ｙＢ（ｉ））は、それぞれｙＡ（ｉ）＝ｅｊ×δＡ（ｉ）、ｙＢ（ｉ）＝ｅｊ×δＢ（ｉ）で表すことができる。ここで、δＡ（ｉ）及びδＢ（ｉ）は実数である。δＡ（ｉ）及びδＢ（ｉ）は、例えば、δＡ（ｉ）−δＢ（ｉ）に対して除数２πで剰余演算を行った結果が周期Ｎで変化するように設定される。（Ｎは２以上の整数である。）ただし、δＡ（ｉ）及びδＢ（ｉ）の設定は、これに限ったものではない。例えば、位相変更の値Ａ（ｙＡ（ｉ））、位相変更の値Ｂ（ｙＢ（ｉ））のそれぞれが、周期的、または規則的に変化し、且つ、位相変更の値Ａと位相変更の値Ｂとの差（ｙＡ（ｉ）／ｙＢ（ｉ））が周期的、または規則的に変化する方法でもよい。
【０５４８】
信号処理部１０６が、挿入部２０７Ａ、２０７Ｂの前段に、重み付け合成後の信号２０４Ａに対して位相変更を施して位相変更後の信号２０６Ａを生成する位相変更部２０５Ａ＿２を備え、重み付け合成後の信号２０４Ｂに対して位相変更を施して位相変更後の信号２０６Ｂを生成する位相変更部２０５Ｂ＿２の両方を備えない構成とした場合、挿入部２０７Ａ、２０７Ｂに入力される位相変更後の信号２０６Ａ（ｚ１（ｉ））、重み付け合成後の信号２０４Ｂ（ｚ２（ｉ））は、例えば、式（３）及び式（３７）から式（４５）における
【数４９】
2018012520.tif 000051
を、
【数５０】
2018012520.tif 000052
へと置き換える第２の置き換えを行った置き換え後の式のいずれかで表される。式（３）及び式（３７）から式（４５）に対して上述した第２の置き換えを行った置き換え後の式は、本願の明細書において式（３）及び式（３７）から式（４５）のいずれかを用いて説明した全ての構成に対し、その変形例を表す式として適用可能である。
【０５４９】
位相変更の値ｙ（ｉ）は、例えば、式（２）で表される。ただし、位相変更の値ｙ（ｉ）の設定方法は、式（２）に限ったものではなく、例えば、周期的、規則的に位相を変更するような方法が考えられる。
【０５５０】
なお、実施の形態１において、マッピング後の信号２０１Ａ（ｓ１（ｉ））の変調方式がＱＰＳＫであり、マッピング後の信号２０１Ｂ（ｓ２（ｉ））の変調方式が１６ＱＡＭであるとき、式（３７）におけるｕとｖの値を、
【数５１】
2018012520.tif 000053
【数５２】
2018012520.tif 000054
または、
【数５３】
2018012520.tif 000055
【数５４】
2018012520.tif 000056
に設定することで、受信装置が良好なデータの受信品質を得ることができることを説明した。しかし、マッピング後の信号２０１Ａ（ｓ１（ｉ））の変調方式がＱＰＳＫであり、マッピング後の信号２０１Ｂ（ｓ２（ｉ））の変調方式が１６ＱＡＭであるときに受信装置が良好なデータの受信品質を得ることができるｕとｖの値の設定の例は、式（５１）と式（５２）の組み合わせ及び式（５３）と式（５４）の組み合わせに限定されない。
【０５５１】
一例として、誤り訂正符号化部１０２が符号化データ１０３を生成するために用いる誤り訂正符号化方式として、第１の誤り訂正符号化方式と第１の誤り訂正符号化方式とは符号化率または符号長のいずれか一方または両方が異なる第２の誤り訂正符号化方式を選択可能な場合について説明する。マッピング部１０４は、マッピング後の信号２０１Ａ（ｓ１（ｉ））の生成に第１の変調方式を用い、マッピング後の信号２０１Ｂ（ｓ２（ｉ））の生成に第１の変調方式とは異なる第２の変調方式を用いる。ここで、信号処理部１０６は、誤り訂正符号化方式として第１の誤り訂正符号化方式を用い、変調方式の組み合わせとして第１の変調方式と第２の変調方式を用いる場合には、式（３７）におけるｕとｖの値として、それぞれｕ１とｖ１を用いる。また、信号処理部１０６は、誤り訂正符号化方式として第２の誤り訂正符号化方式を用い、変調方式の組み合わせとして第１の変調方式と第２の変調方式を用いる場合には、式（３７）におけるｕとｖの値として、それぞれｕ２とｖ２を用いる。このとき、ｕ１とｖ１の比がｕ２とｖ２の比と異なる場合に、ｕ１とｖ１の比がｕ２とｖ２の比と等しい場合と比較して、受信装置が良好なデータの受信品質を得られる可能性がある。
【０５５２】
なお、上記説明では誤り訂正符号化部１０２が符号化データ１０３を生成するために用いる誤り訂正符号化方式の符号化率または符号長のうちのいずれか一方または両方が異なる場合に、式（３７）におけるｕの値とｖの値の比を異ならせる場合について説明したが、誤り訂正符号化方式の符号化率または符号長以外の条件に基づいて、ｕの値とｖの値の比を変化させてもよい。例えば、信号処理部１０６は、第１の変調方式及び第２の変調方式として用いる変調方式の組み合わせに応じてｕの値とｖの値の比を変化させてもよい。さらに別の一例として、信号処理部１０６は、誤り訂正符号化方式が等しく、且つ第１の変調方式及び第２の変調方式として用いる変調方式の組み合わせが等しい場合であっても、シングルキャリア方式の変調信号を送信する場合とＯＦＤＭ方式のようなマルチキャリア方式の変調信号を送信する場合とで、ｕの値とｖの値の比を変化させてもよい。この構成により、受信装置が良好なデータの受信品質を得られる可能性がある。
【０５５３】
（補足２）
実施の形態２で説明した、第５の選択方法、第６の選択方法、第７の選択方法、第８の選択方法、第９の選択方法をＯＦＤＭ方式のようなマルチキャリア伝送方式に対して適用することを説明しているが、第５の選択方法、第６の選択方法、第７の選択方法、第８の選択方法、第９の選択方法をシングルキャリア方法に対し適用してもよい。つまり、送信装置が、送信するための変調信号を生成する際、第５の選択方法、第６の選択方法、第７の選択方法、第８の選択方法、第９の選択方法を用いてもよい。
【０５５４】
このときの利点について説明する。
【０５５５】
例えば、第７の選択方法における送信方法＃７−５、送信方法＃７−６、送信方法＃７−８、送信方法＃７−９において、送信装置が、複数の変調信号を生成する際、複数のプリコーディング行列からプリコーディングに使用するプリコーディング行列を選択している。送信装置が「θ≠０とした式（１３）から式（２０）のいずれかを満たすプリコーディング行列」を選択したとき、送信装置が送信する複数の変調信号の受信電界強度が通信相手である受信装置において異なるとき、データの受信品質がよいという効果を得ることができる（各ストリームは、複数のアンテナから送信されているため、空間ダイバーシチ効果を得ることができる。）
【０５５６】
一方、送信装置が「θ＝０とした式（１３）から式（２０）のいずれかを満たすプリコーディング行列」を選択したとき、送信装置が送信する複数の変調信号の受信電界強度が通信相手である受信装置において、大きな差が発生しないとき、データの受信品質がよいという効果を得ることができる。
【０５５７】
したがって、送信装置が、端末からの例えば、フィードバック情報により、送信する複数の変調信号を生成する際に使用するプリコーディング行列を好適に選択することで、通信相手の受信装置において、データの受信品質が向上するという効果を得ることができる。
【０５５８】
なお、実施の形態１、実施の形態２で説明した、第１の選択方法、第２の選択方法、第３の選択方法、第４の選択方法、第５の選択方法、第６の選択方法、第７の選択方法、第８の選択方法、第９の選択方法において、構成するすべての送信方法すべてをサポートする必要はない。また、第１の選択方法、第２の選択方法、第３の選択方法、第４の選択方法、第５の選択方法、第６の選択方法、第７の選択方法、第８の選択方法、第９の選択方法において、構成する送信方法以外の送信方法が送信装置の選択候補に含まれていてもよい。また、この両者を組み合わせてもよい。
【０５５９】
例えば、第７の選択方法において、実施の形態２で、送信方法として、送信方法＃７−１、送信方法＃７−２、送信方法＃７−３、送信方法＃７−４、送信方法＃７−５、送信方法＃７−６、送信方法＃７−７、送信方法＃７−８、送信方法＃７−９を送信装置の送信方法の選択候補として、記載している。このとき、送信装置の選択候補として、送信方法＃７−１〜送信方法＃７−９すべてを含んでいなくてもよい。また、送信装置の選択候補として、送信方法＃７−１〜送信方法＃７−９以外の送信方法が、送信装置の選択候補に含まれていてもよい。
【０５６０】
具体的な例を記載する。
【０５６１】
例１：
送信装置の選択候補を、「送信方法＃７−１、送信方法＃７−２、送信方法＃７−３、送信方法＃７−４、送信方法＃７−５、送信方法＃７−６、送信方法＃７−８、送信方法＃７−９」と設定する。
【０５６２】
例２：
送信装置の選択候補を、「送信方法＃７−１、送信方法＃７−２、送信方法＃７−３、送信方法＃７−４、送信方法＃７−５、送信方法＃７−６、送信方法＃７−７、送信方法＃７−８、送信方法＃７−９、および、送信方法＃Ａ」と設定する。
【０５６３】
例えば、送信方法＃Ａを以下の送信方法とする。
【０５６４】
シングルストリームを送信する（ｓ１（ｉ）を送信する。）（ｓ１（ｉ）の）変調方式は２５６ＱＡＭ（または、２５６ＡＰＳＫ（Amplitude Phase Shift Keying）、または、同相Ｉ−直交Ｑ平面に２５６個の信号点をもつ変調方式）とする。（ただし、シングルストリームの変調信号は、一つのアンテナを用いて送信してもよいし、複数のアンテナを用いて送信してもよい。）
【０５６５】
例３：
送信装置の選択候補を、「送信方法＃７−１、送信方法＃７−２、送信方法＃７−３、送信方法＃７−４、送信方法＃７−５、送信方法＃７−６、送信方法＃７−８、送信方法＃７−９、および、送信方法＃Ａ」と設定する。
【０５６６】
なお、具体的な例として、例１、例２、例３を記載したが、これに限ったものではない。
【０５６７】
また、送信方法＃７’−１〜送信方法＃７’−９をもつ第７’の選択方法を構成する送信方法から送信方法を選択する送信装置とすると、通信相手の受信装置において、データの受信品質が向上することになる。
【０５６８】
第７’の選択方法：
送信方法＃７’−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
【０５６９】
送信方法＃７’−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
【０５７０】
送信方法＃７’−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
【０５７１】
送信方法＃７’−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
【０５７２】
送信方法＃７’−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０５７３】
ここでのプリコーディングの処理について説明する。
【０５７４】
図１の送信装置において、誤り訂正符号化として、ある符号化率が設定されたものとする。このとき、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０５７５】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０５７６】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０５７７】
送信方法＃７’−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０５７８】
ここでのプリコーディングの処理について説明する。
【０５７９】
図１の送信装置において、誤り訂正符号化として、ある符号化率が設定されたものとする。このとき、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０５８０】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０５８１】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０５８２】
送信方法＃７’−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
【０５８３】
送信方法＃７’−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０５８４】
ここでのプリコーディングの処理について説明する。
【０５８５】
図１の送信装置において、誤り訂正符号化として、ある符号化率が設定されたものとする。このとき、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０５８６】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０５８７】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０５８８】
送信方法＃７’−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
【０５８９】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
【０５９０】
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
【０５９１】
ここでのプリコーディングの処理について説明する。
【０５９２】
図１の送信装置において、誤り訂正符号化として、ある符号化率が設定されたものとする。このとき、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０５９３】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０５９４】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
【０５９５】
なお、送信方法＃７’−５、送信方法＃７’−６、送信方法＃７’−８、送信方法＃７’−９において、「誤り訂正符号化として、ある符号化率が設定されたものとする」と記載したが、１つの符号化率に限ったものではない。
【０５９６】
例えば、符号化率１／２のとき、「プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０５９７】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０５９８】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。」とし、符号化率２／３のとき、「プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
【０５９９】
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０６００】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。」としてもよい。
【０６０１】
また、第７’の選択方法において、構成するすべての送信方法すべてをサポートする必要はない。また、第７’の選択方法において、構成する送信方法以外の送信方法が送信装置の選択候補に含まれていてもよい。また、この両者を組み合わせてもよい。
【０６０２】
例えば、第７’の選択方法において、送信方法として、送信方法＃７’−１、送信方法＃７’−２、送信方法＃７’−３、送信方法＃７’−４、送信方法＃７’−５、送信方法＃７’−６、送信方法＃７’−７、送信方法＃７’−８、送信方法＃７’−９を送信装置の送信方法の選択候補として、記載している。このとき、送信装置の選択候補として、送信方法＃７’−１〜送信方法＃７’−９すべてを含んでいなくてもよい。また、送信装置の選択候補として、送信方法＃７’−１〜送信方法＃７’−９以外の送信方法が、送信装置の選択候補に含まれていてもよい。
【０６０３】
具体的な例を記載する。
【０６０４】
例４：
送信装置の選択候補を、「送信方法＃７’−１、送信方法＃７’−２、送信方法＃７’−３、送信方法＃７’−４、送信方法＃７’−５、送信方法＃７’−６、送信方法＃７’−８、送信方法＃７’−９」と設定する。
【０６０５】
例５：
送信装置の選択候補を、「送信方法＃７’−１、送信方法＃７’−２、送信方法＃７’−３、送信方法＃７’−４、送信方法＃７’−５、送信方法＃７’−６、送信方法＃７’−７、送信方法＃７’−８、送信方法＃７’−９、および、送信方法＃Ａ」と設定する。
【０６０６】
例６：
送信装置の選択候補を、「送信方法＃７’−１、送信方法＃７’−２、送信方法＃７’−３、送信方法＃７’−４、送信方法＃７’−５、送信方法＃７’−６、送信方法＃７’−８、送信方法＃７’−９、および、送信方法＃Ａ」と設定する。
【０６０７】
なお、具体的な例として、例４、例５、例６を記載したが、これに限ったものではない。
【０６０８】
（実施の形態３）
本実施の形態では、図１、図２２の送信装置における信号処理部１０６の図２、図２３と異なる構成について説明する。
【０６０９】
図２４は、図２、図２３とは異なる信号処理部１０６の構成の一例を示しており、図２、図２３と同様に動作するものについては、同一番号を付しており、説明は省略する。
【０６１０】
図２４が、特に、図２と異なる点は、重み付け合成部２０３の直後に位相変更部を２つ具備している点である。
【０６１１】
位相変更部２０５Ａは、重み付け合成後の信号２０４Ａ、制御信号２００を入力とし、制御信号２００に基づき、重み付け合成後の信号２０４Ａに対し、位相変更を施し、位相変更後の信号２０６Ａを出力する。なお、一例として、重み付け合成後の信号２０４Ａをｚ１’（ｔ）とあらわすものとする。なお、ｔは時間であり、ｚ１’（ｔ）は複素数で定義されるものとする。したがって、ｚ１’（ｔ）は実数であってもよい。そして、位相変更後の信号２０６Ａをｚ１（ｔ）とあらわすものとする。なお、ｚ１（ｔ）は複素数で定義されるものとする。したがって、ｚ１（ｔ）は実数であってもよい。ｚ１’（ｔ）、ｚ１（ｔ）はｔの関数と記載しているが、周波数ｆの関数であってもよいし、時間ｔおよび周波数ｆの関数であってもよい。また、シンボル番号ｉの関数と記載してもよい。以降では、シンボル番号ｉの関数として記載をすすめる。なお、この点については、本明細書すべてにおいて、同様の記載、式表現を行っている。
【０６１２】
位相変更部２０５Ｂは、重み付け合成後の信号２０４Ｂ、制御信号２００を入力とし、制御信号２００に基づき、重み付け合成後の信号２０４Ｂに対し、位相変更を施し、位相変更後の信号２０６Ｂを出力する。なお、一例として、重み付け合成後の信号２０４Ｂをｚ２’（ｔ）とあらわすものとする。なお、ｔは時間であり、ｚ２’（ｔ）は複素数で定義されるものとする。したがって、ｚ２’（ｔ）は実数であってもよい。そして、位相変更後の信号２０６Ｂをｚ２（ｔ）とあらわすものとする。なお、ｚ２（ｔ）は複素数で定義されるものとする。したがって、ｚ２（ｔ）は実数であってもよい。ｚ２’（ｔ）、ｚ２（ｔ）はｔの関数と記載しているが、周波数ｆの関数であってもよいし、時間ｔおよび周波数ｆの関数であってもよい。また、シンボル番号ｉの関数と記載してもよい。以降では、シンボル番号ｉの関数として記載をすすめる。
【０６１３】
重み付け合成部（プリコーディング部）２０３は、以下の演算を行うことになる。
【０６１４】
【数５５】
2018012520.tif 000057
【０６１５】
式（５５）において、ａ，ｂ，ｃ，ｄは複素数で定義でき、したがって、実数であってもよい。そして、ａ，ｂ，ｃ，ｄで構成するプリコーディング行列（式（４））の具体的な例については、実施の形態１の式（５）〜式（３６）で記載している。
【０６１６】
位相変更部２０５Ａでは、例えば、ｚ１’（ｉ）に対しＹ（ｉ）の位相変更を施すものとする。したがって、ｚ１（ｉ）＝Ｙ（ｉ）×ｚ１’（ｉ）とあらわすことができる。なお、例えば、シンボル番号ｉは、０以上の整数とする。
【０６１７】
また、位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる。
【０６１８】
したがって、例えば、ｚ１（ｉ）、ｚ２（ｉ）を次式であらわすことができる。
【０６１９】
【数５６】
2018012520.tif 000058
【０６２０】
なお、δ（ｉ）、ε（ｉ）は実数である。そして、ｚ１（ｉ）、ｚ２（ｉ）は、同一時間、同一周波数（同一周波数帯）で、送信装置から送信されることになる。
【０６２１】
例えば、位相変更値Ｙ（ｉ）、ｙ（ｉ）を以下のように与える。
【０６２２】
【数５７】
2018012520.tif 000059
【０６２３】
【数５８】
2018012520.tif 000060
【０６２４】
なお、Ｎは、位相変更の周期であり、Ｎは３以上の整数、つまり、送信ストリーム数または送信変調信号数２より大きな整数であるものとする。また、Γ、および、Ωは実数である。（簡単な例として、Γ、および、Ωをゼロとする。ただし、これに限ったものではない。）このように設定した場合、ｚ１（ｉ）のＰＡＰＲ（Peak-to Average Power Ratio）とｚ２（ｉ）のＰＡＰＲが、シングルキャリア方式のとき、同等になり、これにより、図１、図２２などの無線部１０７＿Ａ、１０７＿Ｂにおける位相雑音や送信電力増幅部の線形性の要求基準が同等となり、低消費電力の実現が容易になるという利点があり、また、無線部の構成を共通にすることができるという利点がある。（ただし、ＯＦＤＭなどのマルチキャリア方式のときも同様の効果を得ることができる可能性は高い。）
【０６２５】
また、位相変更値Ｙ（ｉ）、ｙ（ｉ）を以下のように与えてもよい。
【０６２６】
【数５９】
2018012520.tif 000061
【０６２７】
【数６０】
2018012520.tif 000062
【０６２８】
式（５９）および式（６０）のように与えても、上述と同様の効果を得ることが可能である。
【０６２９】
位相変更値Ｙ（ｉ）、ｙ（ｉ）を以下のように与えてもよい。
【０６３０】
【数６１】
2018012520.tif 000063
【０６３１】
【数６２】
2018012520.tif 000064
【０６３２】
なお、ｋは０を除く整数である。式（６１）および式（６２）のように与えても、上述と同様の効果を得ることが可能である。
【０６３３】
位相変更値Ｙ（ｉ）、ｙ（ｉ）の与え方については、上述の例に限ったものではない。そして、図２４の重み付け合成部２０３で使用するプリコーディング行列が、式（３３）、式（３４）のようにあらわされた場合、図２４における重み付け合成部２０３は、マッピング後の信号２０１Ａ、２０１Ｂに対し、信号処理を施さずに、マッピング後の信号２０１Ａを重み付け合成後の信号２０４Ａとして出力し、マッピング後の信号２０１Ｂを重み付け合成後の信号２０４Ｂとして出力することになる。つまり、重み付け合成部２０３が存在しなくてもよいし、重み付け合成部２０３が存在する場合、制御信号２００によって、重み付け合成を施すか、重み付け合成を行わないか、の制御を行ってもよい。
【０６３４】
次に、図１、図２２の送信装置における信号処理部１０６の図２、図２３、図２４とは異なる構成である図２５の構成について説明する。
【０６３５】
図２５において、図２４と同様に動作するものについては、同一番号を付しており、説明を省略する。図２４と図２５の異なる点は、図２４では存在する位相変更部２０９Ｂが、図２５では存在していない点であり、この点については、図２３の説明において、説明を行っているので、説明は省略する。
【０６３６】
そして、図２５における、重み付け合成部２０３、位相変更部２０５Ａ、２０５Ｂの動作については、図２４の説明と同様に動作するため、説明を省略する。なお、図２５の重み付け合成部２０３で使用するプリコーディング行列が、式（３３）、式（３４）のようにあらわされた場合、図２４における重み付け合成部２０３は、マッピング後の信号２０１Ａ、２０１Ｂに対し、信号処理を施さずに、マッピング後の信号２０１Ａを重み付け合成後の信号２０４Ａとして出力し、マッピング後の信号２０１Ｂを重み付け合成後の信号２０４Ｂとして出力することになる。つまり、重み付け合成部２０３が存在しなくてもよいし、重み付け合成部２０３が存在する場合、制御信号２００によって、重み付け合成を施すか、重み付け合成を行わないか、の制御を行ってもよい。
【０６３７】
図１、図２２の送信装置における信号処理部１０６の構成を、本実施の形態で説明した図２４、図２５とし、図２４、図２５の構成を具備した図１、図２２の送信装置に対し、本明細書で説明した各実施の形態を組み合わせて実施しても、各実施の形態を同様に実施することができるとともに、各実施の形態で説明した効果を同様に得ることができることになる。
【０６３８】
（補足３）
本実施の形態では、図１、図２２の送信装置における信号処理部１０６の図２、図２３、図２４、図２５と異なる構成について説明する。
【０６３９】
本実施の形態の図１、図２２の送信装置における信号処理部１０６の構成は、図２３または図２５に対し、図２６または図２７または図２８または図２９または図３０を接続した構成となる。なお、図２３および図２５については、これまでに説明したので、以降では、図２６〜図３０の構成について説明を行う。
【０６４０】
図２６は、図２３、図２５における挿入部２０７Ａ以降、および、挿入部２０７Ｂ以降の第１の構成である。
【０６４１】
図２６において、図２３、図２５と同様に動作するものについては、同一番号を付しており、説明を省略する。
【０６４２】
ＣＤＤ（Cyclic Delay Diversity）部２６０１Ａは、信号２０８Ａ、制御信号２００を入力とし、制御信号２００に基づき、信号２０８Ａに対し、ＣＤＤ処理を施し、ＣＤＤ処理後の信号２６０２Ａを出力する。なお、ＣＤＤをＣＳＤ（Cyclic Shift Diversity）と呼んでもよい。
【０６４３】
図２６におけるＣＤＤ処理後の信号２６０２Ａは図１、図２２における信号処理後の信号１０６＿Ａに相当し、信号２０８Ｂは図１、図２２における信号処理後の信号１０６＿Ｂに相当する。
【０６４４】
図２７は、図２３、図２５における挿入部２０７Ａ以降、および、挿入部２０７Ｂ以降の第２の構成である。
【０６４５】
図２７において、図２３、図２５と同様に動作するものについては、同一番号を付しており、説明を省略する。
【０６４６】
ＣＤＤ部２６０１Ｂは、信号２０８Ｂ、制御信号２００を入力とし、制御信号２００に基づき、信号２０８Ｂに対し、ＣＤＤ処理を施し、ＣＤＤ処理後の信号２６０２Ｂを出力する。
【０６４７】
図２７における信号２０８Ａは、図１、図２２における信号処理後の信号１０６＿Ａに相当し、ＣＤＤ処理後の信号２６０２Ｂは図１、図２２における信号処理後の信号１０６＿Ｂに相当する。
【０６４８】
図２８は、図２３、図２５における挿入部２０７Ａ以降、および、挿入部２０７Ｂ以降の第３の構成である。
【０６４９】
図２８において、図２３、図２５、図２６、図２７と同様に動作するものについては、同一番号を付しており、説明を省略する。
【０６５０】
図２７におけるＣＤＤ処理後の信号２６０２Ａは図１、図２２における信号処理後の信号１０６＿Ａに相当し、ＣＤＤ処理後の信号２６０２Ｂは図１、図２２における信号処理後の信号１０６＿Ｂに相当する。
【０６５１】
図２９は、図２３、図２５における挿入部２０７Ａ以降、および、挿入部２０７Ｂ以降の第４の構成である。
【０６５２】
図２９において、図２３、図２５と同様に動作するものについては、同一番号を付しており、説明を省略する。
【０６５３】
位相変更部２０９Ａは、信号２０８Ａ、制御信号２００を入力とし、制御信号２００に基づき、信号２０８Ａに対し、位相変更の処理を施し、位相変更後の信号２１０Ａを出力する。なお、位相変更部２０９Ａの動作は、図２における位相変更部２０９Ｂと同様になるので説明を省略する。
【０６５４】
図２９における位相変更後の信号２１０Ａは、図１、図２２における信号処理後の信号１０６＿Ａに相当し、信号２０８Ｂは図１、図２２における信号処理後の信号１０６＿Ｂに相当する。
【０６５５】
図３０は、図２３、図２５における挿入部２０７Ａ以降、および、挿入部２０７Ｂ以降の第５の構成である。
【０６５６】
図３０において、図２、図２３、図２５、図２９と同様に動作するものについては、同一番号を付しており、説明を省略する。
【０６５７】
図３０における位相変更後の信号２１０Ａは図１、図２２における信号処理後の信号１０６＿Ａに相当し、位相変更後の信号２１０Ｂは図１、図２２における信号処理後の信号１０６＿Ｂに相当する。
【０６５８】
図１、図２２の送信装置における信号処理部の構成を上述で述べた構成とし、そのような送信装置に対し、本明細書で説明した各実施の形態を組み合わせて実施しても、各実施の形態を同様に実施することができるとともに、各実施の形態で説明した効果を同様に得ることができることになる。
【０６５９】
次に、ＣＤＤ部２６０１Ａ、２６０１Ｂ、位相変更部２０９Ａ、２０９Ｂの動作について説明を行う。
【０６６０】
まず、ＣＤＤの処理について説明を行う。
【０６６１】
図３１にＣＤＤ（ＣＳＤ）を用いたときの構成を示している。ＣＤＤ部２６０１Ａ、２６０１Ｂと同様の処理を行う部分が図３１の３１０２＿１〜３１０２＿Ｍとなる。
【０６６２】
サイクリックディレイ部（巡回遅延部）３１０２＿１は、変調信号３１０１を入力とし、サイクリックディレイ（巡回遅延）の処理を行い、サイクリックディレイ後の信号３１０３＿１を出力する。サイクリックディレイ処理後の信号３１０３＿１をＸ１［ｎ］とすると、Ｘ１［ｎ］は次式で与えられる。
【０６６３】
【数６３】
2018012520.tif 000065
【０６６４】
なお、modはmoduloを表し、「ｙ  ｍｏｄ  Ｚ」とは、「ｙをＺで除算したときの余り」である。そして、δ１は巡回遅延量（δ１は整数）であり、ｘ［ｎ］は、Ｎ個のサンプルで構成されるものとし（Ｎは２以上の整数とする）、したがって、ｎは０以上Ｎ−１以下の整数とする。
【０６６５】
サイクリックディレイ部（巡回遅延部）３１０２＿Ｍは、変調信号３１０１を入力とし、サイクリックディレイ（巡回遅延）の処理を行い、サイクリックディレイ処理後の信号３１０３＿Ｍを出力する。サイクリックディレイ処理後の信号３１０３＿ＭをＸＭ［ｎ］とすると、ＸＭ［ｎ］は次式で与えられる。
【０６６６】
【数６４】
2018012520.tif 000066
【０６６７】
なお、δＭは巡回遅延量であり（δＭは整数）、Ｘ［ｎ］は、Ｎ個のサンプルで構成されるものとし（Ｎは２以上の整数とする）、したがって、ｎは０以上Ｎ−１以下の整数とする。
【０６６８】
したがって、サイクリックディレイ部（巡回遅延部）３１０２＿ｉは（ｉは１以上Ｍ以下の整数（Ｍは１以上の整数とする））、変調信号３１０１を入力とし、サイクリックディレイ（巡回遅延）処理を行い、サイクリックディレイ処理後の信号３１０３＿ｉを出力する。サイクリックディレイ処理後の信号３１０３＿ｉをＸｉ［ｎ］とすると、Ｘｉ［ｎ］は次式で与えられる。
【０６６９】
【数６５】
2018012520.tif 000067
【０６７０】
なお、δｉは巡回遅延量であり（δｉは整数）、Ｘ［ｎ］は、Ｎ個のサンプルで構成されるものとし（Ｎは２以上の整数とする）、したがって、ｎは０以上Ｎ−１以下の整数とする。
【０６７１】
そして、サイクリックディレイ処理後の信号３１０３＿ｉはアンテナｉから送信されることになる。よって、サイクリックディレイ処理後の信号３１０３＿１、・・・、サイクリックディレイ処理後の信号３１０３＿Ｍはそれぞれ異なるアンテナから送信されることになる。
【０６７２】
このようにすることで、サイクリックディレイによるダイバーシチ効果を得ることができ（特に、遅延波の悪影響を軽減することができる）、受信装置において、データの受信品質が向上するという効果を得ることができる。
【０６７３】
ＣＤＤ部２６０１Ａ、２６０１Ｂと位相変更部２０９Ａ、２０９Ｂの関係について説明する。
【０６７４】
例えばＯＦＤＭにＣＤＤ（ＣＳＤ）を適用する場合を考える。
【０６７５】
最も低い周波数のキャリアを「キャリア１」とすると、それに続き「キャリア２」「キャリア３」「キャリア４」・・・と並んでいるものとする。
【０６７６】
位相変更部２０９Ａ、２０９Ｂにおいて、ＣＤＤ部２６０１Ａ、２６０１Ｂと同様に巡回遅延量τを与えるものとする。すると、キャリアｉにおける位相変更値Ω［ｉ］は、以下のようにあらわされる。
【０６７７】
【数６６】
2018012520.tif 000068
【０６７８】
なお、μは、巡回遅延量、ＦＦＴ（Fast Fourier Transform）サイズなどから求めることができる値である。
【０６７９】
そして、位相変更前（循環処理遅延前）の「キャリアｉ」、時刻ｔのベースバンド信号をｖ’［ｉ］［ｔ］とすると、位相変更後の「キャリアｉ」、時刻ｔの信号ｖ［ｉ］［ｔ］は、ｖ［ｉ］［ｔ］＝Ω［ｉ］×ｖ’［ｉ］［ｔ］とあらわすことができる。
【０６８０】
したがって、位相変更部２０９Ａ、２０９Ｂは、巡回遅延量を与えることでも、位相変更の動作を行うことになる。
【０６８１】
そして、図２、図２３、図２４、図２５などにおける位相変更部２０５Ａ、２０５Ｂにおいて、入力となる制御信号２００により、位相変更を実施する、または、実施しないを制御してもよい。したがって、例えば、制御信号２００は、「位相変更部２０５Ａにおいて、位相変更を実施する、または、実施しない」に関する制御情報、「位相変更部２０５Ｂにおいて、位相変更を実施する、または、実施しない」に関する制御情報を含んでいてもよく、これらの制御情報により、「位相変更部２０５Ａ、位相変更部２０５Ｂにおいて、位相変更を実施する、または、実施しない」を制御してもよい。
【０６８２】
位相変更部２０５Ａは、制御信号２００を入力とし、制御信号２００により、位相変更を実施しないという指示を受けた場合、位相変更部２０５Ａは、入力信号２０４Ａを２０６Ａとして出力する。
【０６８３】
同様に、位相変更部２０５Ｂは、制御信号２００を入力とし、制御信号２００により、位相変更を実施しないという指示を受けた場合、位相変更部２０５Ｂは、入力信号２０４Ｂを２０６Ｂとして出力する。
【０６８４】
なお、送信装置は、位相変更部２０５Ａ、２０５Ｂにおける、「位相変更を実施する、実施しない」に関する情報を通信相手である受信装置に通知するために、制御情報シンボルの一部として送信することになる。
【０６８５】
また、図２、図２４、図２６、図２７、図２８、図２９、図３０における、位相変更部２０９Ａ、２０９Ｂ、ＣＤＤ部２６０１Ａ、２６０１Ｂにおいて、入力となる制御信号２００により、「位相変更を実施する、または、実施しない」を制御してもよく、また、入力となる制御信号２００により、「ＣＳＤの処理を実施する、または、実施しない」を制御してもよい。したがって、例えば、制御信号２００は、「位相変更部２０５Ａにおいて、位相変更を実施する、または、実施しない」に関する制御情報、「位相変更部２０５Ｂにおいて、位相変更を実施する、または、実施しない」に関する制御情報、「ＣＤＤ部２６０１Ａにおいて、ＣＤＤの処理を実施する、または、実施しない」に関する制御情報、「ＣＤＤ部２６０１Ｂにおいて、ＣＤＤの処理を実施する、または、実施しない」に関する制御情報を含んでいてもよく、これらの制御情報により、「位相変更部２０９Ａ、位相変更部２０９Ｂにおいて、位相変更を実施する、または、実施しない」を制御してもよく、また、「ＣＤＤ部２６０１Ａ、ＣＤＤ部２６０１Ｂにおいて、ＣＤＤの処理を実施する、または、実施しない」を制御してもよい。
【０６８６】
位相変更部２０９Ａは、制御信号２００を入力とし、制御信号２００により、位相変更を実施しないという指示を受けた場合、位相変更部２０９Ａは、入力信号２０８Ａを２１０Ａとして出力する。
【０６８７】
同様に、位相変更部２０９Ｂは、制御信号２００を入力とし、制御信号２００により、位相変更を実施しないという指示を受けた場合、位相変更部２０９Ｂは、入力信号２０８Ｂを２１０Ｂとして出力する。
【０６８８】
ＣＤＤ部２６０１Ａは、制御信号２００を入力とし、制御信号２００により、ＣＤＤの処理を実施しないという指示を受けた場合、ＣＤＤ部２６０１Ａは、入力信号２０８Ａを２６０２Ａとして出力する。
【０６８９】
同様に、ＣＤＤ部２６０１Ｂは、制御信号２００を入力とし、制御信号２００により、ＣＤＤの処理を実施しないという指示を受けた場合、ＣＤＤ部２６０１Ｂは、入力信号２０８Ｂを２６０２Ｂとして出力する。
【０６９０】
本開示において、複素平面がある場合、例えば、偏角のような、位相の単位は、「ラジアン（radian）」としている。
【０６９１】
複素平面を利用すると、複素数の極座標による表示として極形式で表示できる。複素数ｚ＝ａ＋ｊｂ（ａ、ｂはともに実数であり、ｊは虚数単位である）に、複素平面上の点（ａ，ｂ）を対応させたとき、この点が極座標で［ｒ，θ］とあらわされるなら、ａ＝ｒ×ｃｏｓθ、ｂ＝ｒ×ｓｉｎθ
【数６７】
2018012520.tif 000069
が成り立ち、ｒはｚの絶対値（ｒ＝｜ｚ｜）であり、θが偏角（ａｒｇｕｍｅｎｔ）となる。そして、ｚ＝ａ＋ｊｂは、ｒ×ｅｊθとあらわされる。
【０６９２】
（補足４）
本実施の形態１の図３の説明について補足説明を行う。
【０６９３】
「マッピング後の信号２０１Ａ（ｓ１（ｉ））の変調方式がＱＰＳＫ（Quadrature Phase Shift Keying）、マッピング後の信号２０１Ｂ（ｓ２（ｉ））の変調方式が１６ＱＡＭ（ＱＡＭ：Quadrature Amplitude Modulation）のときについて説明する。
【０６９４】
なお、マッピング後の信号２０１Ａの平均（送信）電力とマッピング後の信号２０１Ｂの平均（送信）電力は等しいものとする。
【０６９５】
実施の形態１の図３の説明では、位相変更部２０５Ｂが存在しているときの動作を説明しているが、位相変更部２０５Ｂが位相変更の動作を行っていないとき、または、位相変更部２０５Ｂが存在していない場合についても、データの受信品質が向上する方法がある。以下ではこの点について説明する。
【０６９６】
重み付け合成後の信号２０４Ａ（Ｚ１（ｉ））、および、位相変更を行わないときの信号をｚ２（ｉ）（２０４Ｂに相当する。ただし、２０４Ｂと２０６Ｂは同じ信号となる）とする。このとき、図４に基づくと、重み付け合成後の信号２０４Ａ（Ｚ１（ｉ））、および、位相変更を行わないときの信号をｚ２（ｉ）は、式（６８）から式（７５）のいずれかであらわされるとよい。なお、Ｆ、ｕ、ｖ、β、θなどについては、実施の形態１で説明したとおりである。
【０６９７】
【数６８】
2018012520.tif 000070
【０６９８】
【数６９】
2018012520.tif 000071
【０６９９】
【数７０】
2018012520.tif 000072
【０７００】
【数７１】
2018012520.tif 000073
【０７０１】
【数７２】
2018012520.tif 000074
【０７０２】
【数７３】
2018012520.tif 000075
【０７０３】
【数７４】
2018012520.tif 000076
【０７０４】
【数７５】
2018012520.tif 000077
【０７０５】
また、「マッピング後の信号２０１Ａ（ｓ１（ｉ））の変調方式が１６ＱＡＭ、マッピング後の信号２０１Ｂ（ｓ２（ｉ））の変調方式がＱＰＳＫであってもよい。
【０７０６】
なお、マッピング後の信号２０１Ａの平均（送信）電力とマッピング後の信号２０１Ｂの平均（送信）電力は等しいものとする。
【０７０７】
このとき、図４に基づくと、図３における重み付け合成後の信号２０４Ａ（ｚ１（ｉ））、および、位相変更後の信号２０６Ｂ（ｚ２（ｉ））は、式（７６）から式（８３）のいずれかであらわすことができる。なお、Ｆ、ｕ、ｖ、β、θなどについては、実施の形態１で説明したとおりである。
【０７０８】
【数７６】
2018012520.tif 000078
【０７０９】
【数７７】
2018012520.tif 000079
【０７１０】
【数７８】
2018012520.tif 000080
【０７１１】
【数７９】
2018012520.tif 000081
【０７１２】
【数８０】
2018012520.tif 000082
【０７１３】
【数８１】
2018012520.tif 000083
【０７１４】
【数８２】
2018012520.tif 000084
【０７１５】
【数８３】
2018012520.tif 000085
【０７１６】
また、「マッピング後の信号２０１Ａ（ｓ１（ｉ））の変調方式が１６ＱＡＭ、マッピング後の信号２０１Ｂ（ｓ２（ｉ））の変調方式が６４ＱＡＭであってもよい。
【０７１７】
なお、マッピング後の信号２０１Ａの平均（送信）電力とマッピング後の信号２０１Ｂの平均（送信）電力は等しいものとする。
【０７１８】
このとき、図３における重み付け合成後の信号２０４Ａ（ｚ１（ｉ））、および、位相変更後の信号２０６Ｂ（ｚ２（ｉ））は、式（８４）から式（９１）のいずれかであらわすことができる。なお、Ｆ、ｕ、ｖ、β、θなどについては、実施の形態１で説明したとおりである。
【０７１９】
【数８４】
2018012520.tif 000086
【０７２０】
【数８５】
2018012520.tif 000087
【０７２１】
【数８６】
2018012520.tif 000088
【０７２２】
【数８７】
2018012520.tif 000089
【０７２３】
【数８８】
2018012520.tif 000090
【０７２４】
【数８９】
2018012520.tif 000091
【０７２５】
【数９０】
2018012520.tif 000092
【０７２６】
【数９１】
2018012520.tif 000093
【０７２７】
図３２において、Ｐ１６ＱＡＭは１６ＱＡＭの平均（送信）電力、Ｐ６４ＱＡＭは６４ＱＡＭの平均（送信）電力とし、横軸Ｐ１６ＱＡＭ／（Ｐ１６ＱＡＭ＋Ｐ６４ＱＡＭ）,縦軸キャパシティとしたときの各ＳＮＲ（Signal-to-Noise power Ratio）におけるキャパシティを示している。（なお、グラフにおけるチャネルモデルはＡＷＧＮ（Additive White Gaussian Noise）環境）この結果からわかるように、式（８４）から式（９１）のように設定することで、受信装置は、良好なデータの受信品質を得ることができるという効果を得ることができることになる。なお、図３２において、電力比とキャパシティとの関係を示す２１個の曲線のグラフのそれぞれは、キャパシティの低いものから順に、ＳＮＲ＝０ｄＢ、１ｄＢ、２ｄＢ、・・・、２０ｄＢに対応している。
【０７２８】
また、「マッピング後の信号２０１Ａ（ｓ１（ｉ））の変調方式が６４ＱＡＭ、マッピング後の信号２０１Ｂ（ｓ２（ｉ））の変調方式が１６ＱＡＭであってもよい。
【０７２９】
なお、マッピング後の信号２０１Ａの平均（送信）電力とマッピング後の信号２０１Ｂの平均（送信）電力は等しいものとする。
【０７３０】
このとき、、図３２に基づくと、図３における重み付け合成後の信号２０４Ａ（ｚ１（ｉ））、および、位相変更後の信号２０６Ｂ（ｚ２（ｉ））は、式（９２）から式（９９）のいずれかであらわすことができる。なお、Ｆ、ｕ、ｖ、β、θなどについては、実施の形態１で説明したとおりである。
【０７３１】
【数９２】
2018012520.tif 000094
【０７３２】
【数９３】
2018012520.tif 000095
【０７３３】
【数９４】
2018012520.tif 000096
【０７３４】
【数９５】
2018012520.tif 000097
【０７３５】
【数９６】
2018012520.tif 000098
【０７３６】
【数９７】
2018012520.tif 000099
【０７３７】
【数９８】
2018012520.tif 000100
【０７３８】
【数９９】
2018012520.tif 000101
【０７３９】
「マッピング後の信号２０１Ａ（ｓ１（ｉ））の変調方式が１６ＱＡＭ、マッピング後の信号２０１Ｂ（ｓ２（ｉ））の変調方式が６４ＱＡＭのとき、実施の形態１の図３の説明では、位相変更部２０５Ｂが存在しているときの動作を説明しているが、位相変更部２０５Ｂが位相変更の動作を行っていないとき、または、位相変更部２０５Ｂが存在していない場合についても、データの受信品質が向上する方法がある。以下ではこの点について説明する。
【０７４０】
重み付け合成後の信号２０４Ａ（Ｚ１（ｉ））、および、位相変更を行わないときの信号をｚ２（ｉ）（２０４Ｂに相当する。ただし、２０４Ｂと２０６Ｂは同じ信号となる）とする。このとき、図３２に基づくと、重み付け合成後の信号２０４Ａ（Ｚ１（ｉ））、および、位相変更を行わないときの信号をｚ２（ｉ）は、式（１００）から式（１０７）のいずれかであらわされるとよい。なお、Ｆ、ｕ、ｖ、β、θなどについては、実施の形態１で説明したとおりである。
【０７４１】
また、マッピング後の信号２０１Ａの平均（送信）電力とマッピング後の信号２０１Ｂの平均（送信）電力は等しいものとする。
【０７４２】
【数１００】
2018012520.tif 000102
【０７４３】
【数１０１】
2018012520.tif 000103
【０７４４】
【数１０２】
2018012520.tif 000104
【０７４５】
【数１０３】
2018012520.tif 000105
【０７４６】
【数１０４】
2018012520.tif 000106
【０７４７】
【数１０５】
2018012520.tif 000107
【０７４８】
【数１０６】
2018012520.tif 000108
【０７４９】
【数１０７】
2018012520.tif 000109
【０７５０】
なお、式（６８）から式（１０７）において、αおよびβは、実数であってもよいし、虚数であってもよい。
【０７５１】
また、式（６８）から式（１０７）において、θをπ／４ラジアン（４５度）と定めている。係数乗算後の信号３０２Ａの平均（送信）電力と係数乗算後の信号３０２Ｂの平均（送信）電力は異なるが、「θをπ／４ラジアン（４５度）」とすることで、重み付け合成後の信号２０４Ａ（ｚ１（ｉ））の平均（送信）電力と信号２０６Ｂ（２０４Ｂ）（ｚ２（ｉ））の平均（送信）電力は等しくすることができ、送信規定上、「各アンテナから送信する変調信号の平均送信電力を一定」と定められている場合、「θをπ／４ラジアン（４５度）」と設定する必要がある。なお、ここでは、「θをπ／４ラジアン（４５度）」としているが、「θは、π／４ラジアン（４５度）、（３×π）／４ラジアン（１３５度）、（５×π）／４ラジアン（２２５度）、（７×π）／４ラジアン（３１５度）のいずれかの値であればよい。」
【０７５２】
また、係数ｕ、ｖを、式（６８）から式（１０７）のように定めている。
【０７５３】
なお、図１、図２、図３と式（１）から式（４５）を例とする方法で、シンボルを生成（例えば、ｚ１（ｉ）、ｚ２（ｉ））を説明した。このとき、生成したシンボルは、時間軸方向に配置してもよい。また、ＯＦＤＭ（Orthogonal Frequency Division Multiplexing）などのマルチキャリア方式を用いた場合、生成したシンボルを周波数軸方向に配置してもよいし、時間・周波数方向に配置してもよい。また、生成したシンボルに対し、インタリーブを施し（シンボルの並び替えを行い）、時間軸方向に配置してもよいし、周波数軸方向に配置してもよいし、時間・周波数軸方向に配置してもよい。ただし、同一のシンボル番号ｉのｚ１（ｉ）とｚ２（ｉ）は、同一時間、同一周波数（同一周波数帯）を用いて送信装置は送信することになる。
【０７５４】
また、図３において、重み付け合成部２０３と挿入部２０７Ａの間に、位相変更部２０５Ａが存在していてもよい。よって、重み付け合成後の信号２０４Ａに対し、位相変更を施してもよい。
【０７５５】
そして、挿入部２０７Ａの後に、位相変更部２０９Ａを配置してもよい。また、位相変更部２０９Ｂが存在しなくてもよい。
【０７５６】
以上のように実施することで、キャパシティが大きくなるように、重み付け合成、および、パワー変更を行っているため、通信相手である受信装置のデータの受信品質が向上するという効果を得ることができる。なお、ｓ１（ｉ）の変調方式、ｓ２（ｉ）の変調方式が、フレーム、時間にともない変更される場合、より好適なパワー値ｕ、ｖが設定されることになる。
【０７５７】
なお、上述の例において、マッピング後の信号２０１Ａ（ｓ１（ｉ））の変調方式が１６ＱＡＭ、マッピング後の信号２０１Ｂ（ｓ２（ｉ））の変調方式が６４ＱＡＭのとき、重み付け合成後の信号２０４Ａ（ｚ１（ｉ）、および、重み付け合成後の信号２０６Ｂ（ｚ２（ｉ））は、式（８４）から式（９１）、および、式（１００）から式（１０７）のいずれかであらわすことができることを記載したが、マッピング後の信号２０１Ａ（ｓ１（ｉ））およびマッピング後の信号２０１Ｂ（ｓ２（ｉ））に含まれるデータを生成する際に使用された誤り訂正符号の符号化方法により、式（８４）から式（９１）、および、式（１００）から式（１０７）におけるｕの値、ｖの値を切り替えてもよい。  例えば、誤り訂正符号の符号長（ブロック長）がＡ（Ａは２以上の整数とする）の第１誤り訂正符号と誤り訂正符号の符号長（ブロック長）がＢ（Ｂは２以上の整数とする）の第２誤り訂正符号があるものとする。なお、Ａ≠Ｂとする。
【０７５８】
このとき、第１の誤り訂正符号を用いたとき、式（８４）から式（９１）、および、式（１００）から式（１０７）におけるｕの値をｕａ、ｖの値をｖａとし、第２の誤り訂正符号を用いたとき、式（８４）から式（９１）、および、式（１００）から式（１０７）におけるｕの値をｕｂ、ｖの値をｖｂとする。このとき、式（１０８）が成立するものとする。
【０７５９】
【数１０８】
2018012520.tif 000110
【０７６０】
別の例として、誤り訂正符号の符号化率がＣ（Ｃは０より大きく１未満の実数とする）の第３の誤り訂正符号と誤り訂正符号の符号化率がＤ（Ｄは０より大きく１未満の実数とする）の第４の誤り訂正符号があるものとする。なお、Ｃ≠Ｄとする。  このとき、第３の誤り訂正符号を用いたとき、式（８４）から式（９１）、および、式（１００）から式（１０７）におけるｕの値をｕｃ、ｖの値をｖｃとし、第４の誤り訂正符号を用いたとき、式（８４）から式（９１）、および、式（１００）から式（１０７）におけるｕの値をｕｄ、ｖの値をｖｄとする。このとき、式（１０９）が成立するものとする。
【０７６１】
【数１０９】
2018012520.tif 000111
【０７６２】
さらに別の例として、誤り訂正符号化方法がＥの第５の誤り訂正符号と誤り訂正符号化方法がＦの第６の誤り訂正符号があるものとする。なお、誤り訂正符号化方法Ｅと誤り訂正符号化方法Ｆは異なる方法であるものとする。
【０７６３】
このとき、第５の誤り訂正符号を用いたとき、式（８４）から式（９１）、および、式（１００）から式（１０７）におけるｕの値をｕｅ、ｖの値をｖｅとし、第６の誤り訂正符号を用いたとき、式（８４）から式（９１）、および、式（１００）から式（１０７）におけるｕの値をｕｆ、ｖの値をｖｆとする。このとき、式（１１０）が成立するものとする。
【０７６４】
【数１１０】
2018012520.tif 000112
【０７６５】
マッピング後の信号２０１Ａ（ｓ１（ｉ））の変調方式が６４ＱＡＭ、マッピング後の信号２０１Ｂ（ｓ２（ｉ））の変調方式が１６ＱＡＭのとき、重み付け合成後の信号２０４Ａ（ｚ１（ｉ）、および、重み付け合成後の信号２０６Ｂ（ｚ２（ｉ））は、式（９２）から式（９９）のいずれかであらわすことができることを記載したが、マッピング後の信号２０１Ａ（ｓ１（ｉ））およびマッピング後の信号２０１Ｂ（ｓ２（ｉ））に含まれるデータを生成する際に使用された誤り訂正符号の符号化方法により、式（９２）から式（９９）におけるｕの値、ｖの値を切り替えてもよい。
【０７６６】
例えば、誤り訂正符号の符号長（ブロック長）がＧ（Ｇは２以上の整数とする）の第１誤り訂正符号と誤り訂正符号の符号長（ブロック長）がＨ（Ｈは２以上の整数とする）の第２誤り訂正符号があるものとする。なお、Ｇ≠Ｈとする。
【０７６７】
このとき、第１の誤り訂正符号を用いたとき、式（９２）から式（９９）におけるｕの値をｕｇ、ｖの値をｖｇとし、第２の誤り訂正符号を用いたとき、式（９２）から式（９９）におけるｕの値をｕｈ、ｖの値をｖｈとする。このとき、式（１１１）が成立するものとする。
【０７６８】
【数１１１】
2018012520.tif 000113
【０７６９】
別の例として、誤り訂正符号の符号化率がＩ（Ｉは０より大きく１未満の実数とする）の第３の誤り訂正符号と誤り訂正符号の符号化率がＪ（Ｊは０より大きく１未満の実数とする）の第４の誤り訂正符号があるものとする。なお、Ｉ≠Ｊとする。このとき、第３の誤り訂正符号を用いたとき、式（９２）から式（９９）におけるｕの値をｕｉ、ｖの値をｖｉとし、第４の誤り訂正符号を用いたとき、式（９２）から式（９９）におけるｕの値をｕｊ、ｖの値をｖｊとする。このとき、式（１１２）が成立するものとする。
【０７７０】
【数１１２】
2018012520.tif 000114
【０７７１】
さらに別の例として、誤り訂正符号化方法がＫの第５の誤り訂正符号と誤り訂正符号化方法がＭの第６の誤り訂正符号があるものとする。なお、誤り訂正符号化方法Ｋと誤り訂正符号化方法Ｍは異なる方法であるものとする。
【０７７２】
このとき、第５の誤り訂正符号を用いたとき、式（９２）から式（９９）におけるｕの値をｕｋ、ｖの値をｖｋとし、第６の誤り訂正符号を用いたとき、式（９２）から式（９９）におけるｕの値をｕｍ、ｖの値をｖｍとする。このとき、式（１１３）が成立するものとする。
【０７７３】
【数１１３】
2018012520.tif 000115
【０７７４】
マッピング後の信号２０１Ａ（ｓ１（ｉ））の変調方式が１６ＱＡＭ、マッピング後の信号２０１Ｂ（ｓ２（ｉ））の変調方式が６４ＱＡＭのとき、重み付け合成後の信号２０４Ａ（ｚ１（ｉ）、および、重み付け合成後の信号２０６Ｂ（ｚ２（ｉ））は、式（８４）から式（９１）、および、式（１００）から式（１０７）のいずれかであらわすことができることを記載したが、マッピング後の信号２０１Ａ（ｓ１（ｉ））およびマッピング後の信号２０１Ｂ（ｓ２（ｉ））に含まれるデータを生成する際に使用された誤り訂正符号の符号化方法により、式（８４）から式（９１）、および、式（１００）から式（１０７）におけるｕの値、ｖの値を切り替えてもよい。
【０７７５】
例えば、第１の場合として、マッピング後の信号２０１Ａ（ｓ１（ｉ））において、誤り訂正符号化方法Ｎを用いており、マッピング後の信号２０１Ｂ（ｓ２（ｉ））において、誤り訂正符号化方法Ｐを用いているものとする。第２の場合として、マッピング後の信号２０１Ａ（ｓ１（ｉ））において、誤り訂正符号化方Ｑを用いており、マッピング後の信号２０１Ｂ（ｓ２（ｉ））において、誤り訂正符号化方法Ｒを用いているものとする。
【０７７６】
なお、「誤り訂正符号化方法Ｎと誤り訂正符号化方法Ｑが異なる」または「誤り訂正符号化方法Ｐと誤り訂正符号化方法Ｒが異なる」が成立するものとする。
【０７７７】
このとき、第１の場合、式（８４）から式（９１）、および、式（１００）から式（１０７）におけるｕの値をｕｎ、ｖの値をｖｎとし、第２の場合、式（８４）から式（９１）、および、式（１００）から式（１０７）におけるｕの値をｕｐ、ｖの値をｖｐとする。このとき、式（１１４）が成立するものとする。
【０７７８】
【数１１４】
2018012520.tif 000116
【０７７９】
マッピング後の信号２０１Ａ（ｓ１（ｉ））の変調方式が６４ＱＡＭ、マッピング後の信号２０１Ｂ（ｓ２（ｉ））の変調方式が１６ＱＡＭのとき、重み付け合成後の信号２０４Ａ（ｚ１（ｉ）、および、重み付け合成後の信号２０６Ｂ（ｚ２（ｉ））は、式（９２）から式（９９）のいずれかであらわすことができることを記載したが、マッピング後の信号２０１Ａ（ｓ１（ｉ））およびマッピング後の信号２０１Ｂ（ｓ２（ｉ））に含まれるデータを生成する際に使用された誤り訂正符号の符号化方法により、式（９２）から式（９９）におけるｕの値、ｖの値を切り替えてもよい。
【０７８０】
例えば、第３の場合として、マッピング後の信号２０１Ａ（ｓ１（ｉ））において、誤り訂正符号化方法Ｓを用いており、マッピング後の信号２０１Ｂ（ｓ２（ｉ））において、誤り訂正符号化方法Ｔを用いているものとする。第４の場合として、マッピング後の信号２０１Ａ（ｓ１（ｉ））において、誤り訂正符号化方Ｗを用いており、マッピング後の信号２０１Ｂ（ｓ２（ｉ））において、誤り訂正符号化方法Ｘを用いているものとする。
【０７８１】
なお、「誤り訂正符号化方法Ｓと誤り訂正符号化方法Ｗが異なる」または「誤り訂正符号化方法Ｔと誤り訂正符号化方法Ｘが異なる」が成立するものとする。
【０７８２】
このとき、第１の場合、式（９２）から式（９９）におけるｕの値をｕｓ、ｖの値をｖｓとし、第２の場合、式（９２）から式（９９）におけるｕの値をｕｗ、ｖの値をｖｗとする。このとき、式（１１５）が成立するものとする。
【０７８３】
【数１１５】
2018012520.tif 000117
【０７８４】
なお、上述において、第Ｙの誤り訂正符号化方法と第Ｚの誤り訂正符号化方法が異なる場合、誤り訂正符号化方法自身が異なる、または、符号長（ブロック長）が異なる、符号化率が異なる、などが考えられる。
【０７８５】
また、上述の例では、「マッピング後の信号２０１Ａ（ｓ１（ｉ））の変調方式が１６ＱＡＭ、マッピング後の信号２０１Ｂ（ｓ２（ｉ））の変調方式が６４ＱＡＭのとき」、「マッピング後の信号２０１Ａ（ｓ１（ｉ））の変調方式が６４ＱＡＭ、マッピング後の信号２０１Ｂ（ｓ２（ｉ））の変調方式が１６ＱＡＭのとき」を例に説明したが、「マッピング後の信号２０１Ａ（ｓ１（ｉ））の変調方式とマッピング後の信号２０１Ｂ（ｓ２（ｉ））の変調方式のセット」はこの例に限ったものではない。
【０７８６】
そして、上述の例において、マッピング後の信号２０１Ａ（ｓ１（ｉ））の変調方式が１６ＱＡＭ、マッピング後の信号２０１Ｂ（ｓ２（ｉ））の変調方式がノンユニフォーム６４ＱＡＭのとき、重み付け合成後の信号２０４Ａ（ｚ１（ｉ）、および、重み付け合成後の信号２０６Ｂ（ｚ２（ｉ））は、式（８４）から式（９１）、および、式（１００）から式（１０７）のいずれかであらわすようにしてもよい。
【０７８７】
そして、第５の場合、第１のノンユニフォーム６４ＱＡＭのマッピングを用い、第６の場合、第２のノンユニフォーム６４ＱＡＭのマッピングを用いるものとする。なお、第１のノンユニフォーム６４ＱＡＭのマッピングと第２のノンユニフォーム６４ＱＡＭのマッピングが異なるものとする。
【０７８８】
このとき、第１のノンユニフォーム６４ＱＡＭを用いたとき、式（８４）から式（９１）、および、式（１００）から式（１０７）におけるｕの値をｕ１、ｖの値をｖ１とし、第２のノンユニフォーム６４ＱＡＭを用いたとき、式（８４）から式（９１）、および、式（１００）から式（１０７）におけるｕの値をｕ２、ｖの値をｖ２とする。このとき、式（１１６）が成立するものとする。
【０７８９】
【数１１６】
2018012520.tif 000118
【０７９０】
なお、この例において、マッピング後の信号２０１Ａ（ｓ１（ｉ））の変調方式が１６ＱＡＭ以外の変調方式であってもよい。
【０７９１】
別の例として、マッピング後の信号２０１Ａ（ｓ１（ｉ））の変調方式がノンユニフォーム６４ＱＡＭ、マッピング後の信号２０１Ｂ（ｓ２（ｉ））の変調方式が１６ＱＡＭのとき、重み付け合成後の信号２０４Ａ（ｚ１（ｉ）、および、重み付け合成後の信号２０６Ｂ（ｚ２（ｉ））は、式（９２）から式（９９）のいずれかであらわすようにしてもよい。
【０７９２】
そして、第７の場合、第３のノンユニフォーム６４ＱＡＭのマッピングを用い、第８の場合、第４のノンユニフォーム６４ＱＡＭのマッピングを用いるものとする。なお、第３のノンユニフォーム６４ＱＡＭのマッピングと第４のノンユニフォーム６４ＱＡＭのマッピングが異なるものとする。
【０７９３】
このとき、第３のノンユニフォーム６４ＱＡＭを用いたとき、式（９２）から式（９９）におけるｕの値をｕ３、ｖの値をｖ３とし、第４のノンユニフォーム６４ＱＡＭを用いたとき、式（９２）から式（９９）におけるｕの値をｕ４、ｖの値をｖ４とする。このとき、式（１１７）が成立するものとする。
【０７９４】
【数１１７】
2018012520.tif 000119
【０７９５】
なお、この例において、マッピング後の信号２０１Ｂ（ｓ２（ｉ））の変調方式が１６ＱＡＭ以外の変調方式であってもよい。
【０７９６】
以上のようにすることで、受信装置において、高いデータの受信品質を得ることができるという効果を得ることができる。
【０７９７】
（その他）
なお、本明細書において、図１、図２２などの信号処理後の信号１０６＿Ａを複数のアンテナから送信してもよく、また、図１、図２２などの信号処理後の信号１０６＿Ｂを複数のアンテナから送信してもよい。なお、信号処理後の信号１０６＿Ａは、例えば、信号２０４Ａ、２０６Ａ、２０８Ａ、２１０Ａ、２６０２Ａのいずれかを含んでいる構成が考えられる。また、信号処理後の信号１０６＿Ｂは、例えば、信号２０４Ｂ、２０６Ｂ、２０８Ｂ、２１０Ｂ、２６０２Ｂのいずれかを含んでいる構成が考えられる。
【０７９８】
例えば、Ｎ個の送信アンテナがある、つまり、送信アンテナ１から送信アンテナＮが存在するものとする。なお、Ｎは２以上の整数とする。このとき、送信アンテナｋから送信する変調信号をｃｋとあらわす。なお、ｋは１以上Ｎ以下の整数とする。そして、ｃ１からｃＮで構成されるベクトルＣをＣ＝（ｃ１、ｃ２、・・・、ｃＮ）Ｔとあらわすものとする。なお、ベクトルＡの転置ベクトルをＡＴとあらわすものとする。このとき、プリコーディング行列（重み付け行列）をＧとしたとき、次式が成立する。
【０７９９】
【数１１８】
2018012520.tif 000120
【０８００】
なお、ｄａ（ｉ）は信号処理後の信号１０６＿Ａであり、ｄｂ（ｉ）は信号処理後の信号１０６＿Ｂであるものとし、ｉはシンボル番号であるものとする。また、ＧはＮ行２列の行列であるものとし、ｉの関数であってもよい。また、Ｇは、あるタイミングで切り替わってもよい。（つまり、周波数や時間の関数であってもよい。）
【０８０１】
また、「信号処理後の信号１０６＿Ａを複数の送信アンテナから送信、信号処理後の信号１０６＿Ｂについても複数の送信アンテナから送信」と「信号処理後の信号１０６＿Ａをシングルの送信アンテナから送信、信号処理後の信号１０６＿Ｂについてもシングルの送信アンテナから送信」を送信装置において、切り替えてもよい。切り替えるタイミングが、フレーム単位であってもよいし、変調信号を送信すると決定に伴い切り替えてもよい。（どのような切り替えタイミングであってもよい。）
【０８０２】
なお、ＦＰＧＡ（Field Programmable Gate Array）およびＣＰＵ（Central Processing Unit）の少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵ少なくとも一方を動作させることにより、本開示において説明したデジタル信号処理を実行するようにしてもよい。
【０８０３】
このとき、ＦＰＧＡおよびＣＰＵの少なくとも一方を具備する機器は、通信モデムと無線または有線で接続し、この機器と通信モデムにより、本開示において説明した通信方法を実現してもよい。
【０８０４】
例えば、本明細書で記載した基地局、ＡＰ、端末などの通信装置が、FPGAおよび、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【産業上の利用可能性】
【０８０５】
本開示は、シングルキャリア方式、及び／又は、マルチキャリア方式を用いた無線通信システムにおいて、適用可能である。
【符号の説明】
【０８０６】
１００  制御信号
１０１  データ
１０２  誤り訂正符号化部
１０３  符号化データ
１０４  マッピング部
１０５＿１，１０５＿２  ベースバンド信号
１０６  信号処理部
１０６＿Ａ，１０６＿Ｂ  信号処理後の信号
１０７＿Ａ，１０７＿Ｂ  無線部
１０８＿Ａ，１０８＿Ｂ  送信信号
１０９＿Ａ，１０９＿Ｂ  アンテナ部
【図１】
2018012520.tif 000130
【図２】
2018012520.tif 000131
【図３】
2018012520.tif 000132
【図４】
2018012520.tif 000133
【図５】
2018012520.tif 000134
【図６】
2018012520.tif 000135
【図７】
2018012520.tif 000136
【図８】
2018012520.tif 000137
【図９】
2018012520.tif 000138
【図１０】
2018012520.tif 000139
【図１１】
2018012520.tif 000140
【図１２】
2018012520.tif 000141
【図１３】
2018012520.tif 000142
【図１４】
2018012520.tif 000143
【図１５】
2018012520.tif 000144
【図１６】
2018012520.tif 000145
【図１７】
2018012520.tif 000146
【図１８】
2018012520.tif 000147
【図１９】
2018012520.tif 000148
【図２０】
2018012520.tif 000149
【図２１】
2018012520.tif 000150
【図２２】
2018012520.tif 000151
【図２３】
2018012520.tif 000152
【図２４】
2018012520.tif 000153
【図２５】
2018012520.tif 000154
【図２６】
2018012520.tif 000155
【図２７】
2018012520.tif 000156
【図２８】
2018012520.tif 000157
【図２９】
2018012520.tif 000158
【図３０】
2018012520.tif 000159
【図３１】
2018012520.tif 000160
【図３２】
2018012520.tif 000161
【国際調査報告】
2018012520.tif 000162
2018012520.tif 000163
2018012520.tif 000164
2018012520.tif 000165